(57)【特許請求の範囲】
【請求項１】
無線通信方法であって、
ユニキャスト信号と関連付けられた第１の組のトラッキングループを維持することと、ここで、前記第１の組のトラッキングループは、時間トラッキングループ（ＴＴＬ）と、周波数トラッキングループ（ＦＴＬ）と、を備え、前記ＴＴＬは、タイミングオフセットに基づいて維持され、前記ＦＴＬは、周波数オフセットに基づいて維持される、
マルチキャスト／ブロードキャスト信号と関連付けられた別個の第２の組のトラッキングループを維持することと、
前記第１の組のトラッキングループに基づく受信されたユニキャスト信号又は前記第２の組のトラッキングループに基づく受信されたマルチキャスト／ブロードキャスト信号のうちの少なくとも１つを復号することと、を備え、
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づく、無線通信方法。
【請求項２】
前記ユニキャスト信号を受信するためのダウンリンクタイミングを決定し、前記受信されたユニキャスト信号に関する前記ダウンリンクタイミングに関する前記タイミングオフセットを決定し、及び前記タイミングオフセットに基づいて前記ダウンリンクタイミングを調整することによって前記ＴＴＬを維持することと、
前記ユニキャスト信号を受信するための搬送波周波数を決定し、前記受信されたユニキャスト信号に関する前記搬送波周波数に関する前記周波数オフセットを決定し、及び前記周波数オフセットに基づいてサンプリング周波数を調整することによって前記ＦＴＬを維持することと、をさらに備える請求項１に記載の方法。
【請求項３】
前記第２の組のトラッキングループは、第２の時間トラッキングループ（ＴＴＬ）と、第２の周波数トラッキングループ（ＦＴＬ）と、を備え、前記方法は、
前記マルチキャスト／ブロードキャスト信号を受信するためのダウンリンクタイミングを決定し、前記受信されたマルチキャスト／ブロードキャスト信号に関する前記ダウンリンクタイミングに関する第２のタイミングオフセットを決定し、及び前記第２のタイミングオフセットに基づいて前記ダウンリンクタイミングを調整することによって前記第２のＴＴＬを維持することと、
前記マルチキャスト／ブロードキャスト信号を受信するための搬送波周波数を決定し、前記受信されたマルチキャスト／ブロードキャスト信号に関する前記搬送波周波数に関する第２の周波数オフセットを決定し、及び前記第２の周波数オフセットに基づいてサンプリング周波数を調整することによって前記第２のＦＴＬを維持することと、をさらに備える請求項１に記載の方法。
【請求項４】
前記第２のタイミングオフセット及び前記第２の周波数オフセットは、前記受信されたマルチキャスト／ブロードキャスト信号内の単一周波数ネットワーク（ＭＢＳＦＮ）基準信号を通じてブロードキャストされるマルチメディアに基づいて決定される請求項３に記載の方法。
【請求項５】
前記受信されたマルチキャスト／ブロードキャスト信号は、単一周波数ネットワーク（ＭＢＳＦＮ）エリアにわたってブロードキャストされる複数のマルチメディアから受信され、前記第２のタイミングオフセットは、前記ＭＢＳＦＮエリアの各々からの前記受信されたマルチキャスト／ブロードキャスト信号の複合的なタイミングオフセットであり、前記第２の周波数オフセットは、前記ＭＢＳＦＮエリアの各々からの前記受信されたマルチキャスト／ブロードキャスト信号の複合的な周波数オフセットである請求項３に記載の方法。
【請求項６】
前記第１の組のトラッキングループは、前記ユニキャスト信号が受信される各搬送波に関する前記ＴＴＬと前記ＦＴＬとを備える請求項１に記載の方法。
【請求項７】
前記第２の組のトラッキングループは、前記マルチキャスト／ブロードキャスト信号が受信される各搬送波に関する第２のＴＴＬと第２のＦＴＬとを備える請求項１に記載の方法。
【請求項８】
前記受信されたマルチキャスト／ブロードキャスト信号は、単一周波数ネットワーク（ＭＢＳＦＮ）エリアにわたってブロードキャストされる複数のマルチメディアから受信され、前記第２の組のトラッキングループは、前記ＭＢＳＦＮエリアの各々に関する第２のＴＴＬと第２のＦＴＬとを備える請求項１に記載の方法。
【請求項９】
前記方法は、各ＭＢＳＦＮエリアからのマルチキャスト／ブロードキャスト信号内のＭＢＳＦＮ基準信号に基づいて各ＭＢＳＦＮエリアに関する前記第２のＴＴＬ及び前記第２のＦＴＬを維持することをさらに備える請求項８に記載の方法。
【請求項１０】
前記ユニキャスト信号は、ユニキャスト制御情報とユニキャストデータとを備え、前記方法は、前記ユニキャスト制御情報および前記ユニキャストデータの両方に関して前記ＴＴＬ及び前記ＦＴＬを維持することをさらに備える請求項１に記載の方法。
【請求項１１】
前記ユニキャスト制御情報は、ＭＢＳＦＮサブフレーム及び非ＭＢＳＦＮサブフレームの両方において受信される請求項１０に記載の方法。
【請求項１２】
前記ユニキャスト信号は、ユニキャスト制御情報とユニキャストデータとを備え、前記第１の組のトラッキングループは、第２のＴＴＬと、第２のＦＴＬと、をさらに備え、前記方法は、
前記ユニキャスト制御情報に関して前記ＴＴＬ及び前記ＦＴＬを維持することと、
前記ユニキャストデータに関して前記第２のＴＴＬ及び前記第２のＦＴＬを維持することと、をさらに備える請求項１に記載の方法。
【請求項１３】
前記ＴＴＬ及び前記ＦＴＬは、前記ユニキャスト制御情報内の前記ＣＲＳ又はＣＳＩ−ＲＳのうちの少なくとも１つに基づいて維持され、前記第２のＴＴＬ及び前記第２のＦＴＬは、前記ユニキャストデータ内の前記ＵＥ−ＲＳに基づいて維持される請求項１２に記載の方法。
【請求項１４】
前記第１の組のトラッキングループは、少なくとも１つのセルから受信された前記ユニキャスト信号に基づいて維持され、前記ＴＴＬは、
ダウンリンクタイミングに関する少なくとも１つのセルから受信されたユニキャスト信号の前記タイミングオフセットを追跡するためのものであり、前記ＦＴＬは、
前記ユニキャスト信号が受信される搬送波周波数に関する少なくとも１つのセルから受信されたユニキャスト信号の前記周波数オフセットを追跡するためのものであり、
前記少なくとも１つのセルが複数のセルであるときには、前記タイミングオフセットは、前記複数のセルのうちの各セルから受信された前記ユニキャスト信号の複合的なタイミングオフセットであり、前記周波数オフセットは、前記複数のセルのうちの各セルから受信された前記ユニキャスト信号の複合的な周波数オフセットである請求項１に記載の方法。
【請求項１５】
前記第２の組のトラッキングループは、少なくとも１つのセルから受信された前記マルチキャスト／ブロードキャスト信号に基づいて維持され、前記第２の組のトラッキングループは、
ダウンリンクタイミングに関する前記少なくとも１つのセルから受信されたマルチキャスト／ブロードキャスト信号の第２のタイミングオフセットを追跡するための少なくとも１つの第２のＴＴＬと、
マルチキャスト／ブロードキャスト信号が受信される搬送波周波数に関する前記少なくとも１つのセルから受信された前記マルチキャスト／ブロードキャスト信号の第２の周波数オフセットを追跡するための少なくとも１つの第２のＦＴＬと、を備え、
前記少なくとも１つのセルが複数のセルであるときには、前記第２のタイミングオフセットは、前記複数のセルのうちの各セルから受信された前記マルチキャスト／ブロードキャスト信号の複合的なタイミングオフセットであり、前記第２の周波数オフセットは、前記複数のセルのうちの各セルから受信された前記マルチキャスト／ブロードキャスト信号の複合的な周波数オフセットである請求項１に記載の方法。
【請求項１６】
前記第２の組のトラッキングループは、第２のＴＴＬと第２のＦＴＬとを備え、前記方法は、
ユニキャスト信号を受信するための第１のダウンリンクタイミング及び第１の搬送波周波数及びマルチキャスト／ブロードキャスト信号を受信するための第２のダウンリンクタイミング及び第２の搬送波周波数を決定することと、
前記ユニキャスト信号を受信するための前記第１のダウンリンクタイミングに関する前記タイミングオフセット、前記ユニキャスト信号を受信するための前記第１の搬送波周波数に関する前記周波数オフセット、前記マルチキャスト／ブロードキャスト信号を受信するための前記第２のダウンリンクタイミングに関する第２のタイミングオフセット、及び前記マルチキャスト／ブロードキャスト信号を受信するための前記第２の搬送波周波数に関する第２の周波数オフセットを決定することと、
前記タイミングオフセット及び前記周波数オフセットに基づく前記受信されたユニキャスト信号および前記第２のタイミングオフセット及び前記第２の周波数オフセットに基づく前記受信されたマルチキャスト／ブロードキャスト信号のうちの少なくとも１つを復号することと、
前記ＴＴＬ内の前記第１のダウンリンクタイミングを調整し、前記ＦＴＬ内の第１のサンプリング周波数を調整し、前記第２のＴＴＬ内の前記第２のダウンリンクタイミングを調整し、及び前記第２のＦＴＬ内の第２のサンプリング周波数を調整することによって前記第１のダウンリンクタイミング、前記第１のサンプリング周波数、前記第２のダウンリンクタイミング、及び前記第２のサンプリング周波数を調整することと、をさらに備える請求項１に記載の方法。
【請求項１７】
無線通信方法であって、
受信されたユニキャスト信号のみに基づいてユニキャスト信号と関連付けられた時間トラッキングループ（ＴＴＬ）及び周波数トラッキングループ（ＦＴＬ）を維持することと、ここで、前記ＴＴＬは、タイミングオフセットに基づいて維持され、前記ＦＴＬは、周波数オフセットに基づいて維持される、
マルチキャスト／ブロードキャスト信号を受信することと、
前記受信されたユニキャスト信号のみに基づいて維持される前記ＴＴＬ及び前記ＦＴＬに基づいて前記受信されたマルチキャスト／ブロードキャスト信号を復号することと、備え、
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づく、無線通信方法。
【請求項１８】
前記ＴＴＬ及び前記ＦＴＬを前記維持することは、
前記ユニキャスト信号を受信するためのダウンリンクタイミングを決定し、前記受信されたユニキャスト信号に関する前記ダウンリンクタイミングに関する前記タイミングオフセットを決定し、及び前記タイミングオフセットに基づいて前記ダウンリンクタイミングを調整することによって前記ＴＴＬを維持することと、
前記ユニキャスト信号を受信するための搬送波周波数を決定し、前記受信されたユニキャスト信号に関する前記搬送波周波数に関する前記周波数オフセットを決定し、及び前記周波数オフセットに基づいてサンプリング周波数を調整することによって前記ＦＴＬを維持することと、を備える請求項１７に記載の方法。
【請求項１９】
無線通信のための装置であって、
ユニキャスト信号と関連付けられた第１の組のトラッキングループを維持するための手段と、ここで、前記第１の組のトラッキングループは、時間トラッキングループ（ＴＴＬ）と、周波数トラッキングループ（ＦＴＬ）と、を備え、前記ＴＴＬは、タイミングオフセットに基づいて維持され、前記ＦＴＬは、周波数オフセットに基づいて維持される、
マルチキャスト／ブロードキャスト信号と関連付けられた別個の第２の組のトラッキングループを維持するための手段と、
前記第１の組のトラッキングループに基づく受信されたユニキャスト信号又は前記第２の組のトラッキングループに基づく受信されたマルチキャスト／ブロードキャスト信号のうちの少なくとも１つを復号するための手段と、を備え、
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づく、無線通信のための装置。
【請求項２０】
前記ユニキャスト信号を受信するためのダウンリンクタイミングを決定することによって前記ＴＴＬを維持するための手段と、前記受信されたユニキャスト信号に関する前記ダウンリンクタイミングに関する前記タイミングオフセットを決定するための手段と、前記タイミングオフセットに基づいて前記ダウンリンクタイミングを調整するための手段と、
前記ユニキャスト信号を受信するための搬送波周波数を決定することによって前記ＦＴＬを維持するための手段と、前記受信されたユニキャスト信号に関する前記搬送波周波数に関する前記周波数オフセットを決定するための手段と、前記周波数オフセットに基づいてサンプリング周波数を調整するための手段と、をさらに備える請求項１９に記載の装置。
【請求項２１】
前記第２の組のトラッキングループは、第２の時間トラッキングループ（ＴＴＬ）と、第２の周波数トラッキングループ（ＦＴＬ）と、を備え、前記装置は、
前記マルチキャスト／ブロードキャスト信号を受信するためのダウンリンクタイミングを決定することによって前記第２のＴＴＬを維持するための手段と、前記受信されたマルチキャスト／ブロードキャスト信号に関する前記ダウンリンクタイミングに関する第２のタイミングオフセットを決定するための手段と、前記第２のタイミングオフセットに基づいて前記ダウンリンクタイミングを調整するための手段と、
前記マルチキャスト／ブロードキャスト信号を受信するための搬送波周波数を決定することによって前記第２のＦＴＬを維持するための手段と、前記受信されたマルチキャスト／ブロードキャスト信号に関する前記搬送波周波数に関する第２の周波数オフセットを決定するための手段と、前記第２の周波数オフセットに基づいてサンプリング周波数を調整するための手段と、をさらに備える請求項１９に記載の装置。
【請求項２２】
前記第２のタイミングオフセット及び前記第２の周波数オフセットは、前記受信されたマルチキャスト／ブロードキャスト信号内の単一周波数ネットワーク（ＭＢＳＦＮ）基準信号を通じてブロードキャストされるマルチメディアに基づいて決定される請求項２１に記載の装置。
【請求項２３】
前記受信されたマルチキャスト／ブロードキャスト信号は、単一周波数ネットワーク（ＭＢＳＦＮ）エリアにわたってブロードキャストされる複数のマルチメディアから受信され、前記第２のタイミングオフセットは、前記ＭＢＳＦＮエリアの各々からの前記受信されたマルチキャスト／ブロードキャスト信号の複合的なタイミングオフセットであり、前記第２の周波数オフセットは、前記ＭＢＳＦＮエリアの各々からの前記受信されたマルチキャスト／ブロードキャスト信号の複合的な周波数オフセットである請求項２１に記載の装置。
【請求項２４】
前記第１の組のトラッキングループは、前記ユニキャスト信号が受信される各搬送波に関する前記ＴＴＬと前記ＦＴＬとを備える請求項１９に記載の装置。
【請求項２５】
前記第２の組のトラッキングループは、前記マルチキャスト／ブロードキャスト信号が受信される各搬送波に関する第２のＴＴＬと第２のＦＴＬとを備える請求項１９に記載の装置。
【請求項２６】
前記受信されたマルチキャスト／ブロードキャスト信号は、単一周波数ネットワーク（ＭＢＳＦＮ）エリアにわたってブロードキャストされる複数のマルチメディアから受信され、前記第２の組のトラッキングループは、前記ＭＢＳＦＮエリアの各々に関する第２のＴＴＬと第２のＦＴＬとを備える請求項１９に記載の装置。
【請求項２７】
前記装置は、各ＭＢＳＦＮエリアからの前記マルチキャスト／ブロードキャスト信号内のＭＢＳＦＮ基準信号に基づいて各ＭＢＳＦＮエリアに関する前記第２のＴＴＬ及び前記第２のＦＴＬを維持するための手段をさらに備える請求項２６に記載の装置。
【請求項２８】
前記ユニキャスト信号は、ユニキャスト制御情報とユニキャストデータとを備え、前記装置は、前記ユニキャスト制御情報および前記ユニキャストデータの両方に関して前記ＴＴＬ及び前記ＦＴＬを維持するための手段をさらに備える請求項１９に記載の装置。
【請求項２９】
前記ユニキャスト制御情報は、ＭＢＳＦＮサブフレーム及び非ＭＢＳＦＮサブフレームの両方において受信される請求項２８に記載の装置。
【請求項３０】
前記ユニキャスト信号は、ユニキャスト制御情報とユニキャストデータとを備え、前記第１の組のトラッキングループは、第２のＴＴＬと、第２のＦＴＬと、をさらに備え、前記装置は、
前記ユニキャスト制御情報に関して前記ＴＴＬ及び前記ＦＴＬを維持するための手段と、
前記ユニキャストデータに関して前記第２のＴＴＬ及び前記第２のＦＴＬを維持するための手段と、をさらに備える請求項１９に記載の装置。
【請求項３１】
前記第１のＴＴＬ及び前記第１のＦＴＬは、前記ユニキャスト制御情報内の前記ＣＲＳ又はＣＳＩ−ＲＳのうちの少なくとも１つに基づいて維持され、前記第２のＴＴＬ及び前記第２のＦＴＬは、前記ユニキャストデータ内の前記ＵＥ−ＲＳに基づいて維持される請求項３０に記載の装置。
【請求項３２】
前記第１の組のトラッキングループは、少なくとも１つのセルから受信された前記ユニキャスト信号に基づいて維持され、前記ＴＴＬは、
ダウンリンクタイミングに関する少なくとも１つのセルから受信されたユニキャスト信号の前記タイミングオフセットを追跡するためのものであり、前記ＦＴＬは、
前記ユニキャスト信号が受信される搬送波周波数に関する少なくとも１つのセルから受信されたユニキャスト信号の前記周波数オフセットを追跡するためのものであり、
前記少なくとも１つのセルが複数のセルであるときには、前記タイミングオフセットは、前記複数のセルのうちの各セルから受信された前記ユニキャスト信号の複合的なタイミングオフセットであり、前記周波数オフセットは、前記複数のセルのうちの各セルから受信された前記ユニキャスト信号の複合的な周波数オフセットである請求項１９に記載の装置。
【請求項３３】
前記第２の組のトラッキングループは、少なくとも１つのセルから受信された前記マルチキャスト／ブロードキャスト信号に基づいて維持され、前記第２の組のトラッキングループは、
ダウンリンクタイミングに関する前記少なくとも１つのセルから受信されたマルチキャスト／ブロードキャスト信号の第２のタイミングオフセットを追跡するための少なくとも１つの第２のＴＴＬと、
マルチキャスト／ブロードキャスト信号が受信される搬送波周波数に関する前記少なくとも１つのセルから受信された前記マルチキャスト／ブロードキャスト信号の第２の周波数オフセットを追跡するための少なくとも１つの第２のＦＴＬと、を備え、
前記少なくとも１つのセルが複数のセルであるときには、前記第２のタイミングオフセットは、前記複数のセルのうちの各セルから受信された前記マルチキャスト／ブロードキャスト信号の複合的なタイミングオフセットであり、前記第２の周波数オフセットは、前記複数のセルのうちの各セルから受信された前記マルチキャスト／ブロードキャスト信号の複合的な周波数オフセットである請求項１９に記載の装置。
【請求項３４】
前記第２の組のトラッキングループは、第２のＴＴＬと第２のＦＴＬとを備え、前記装置は、
ユニキャスト信号を受信するための第１のダウンリンクタイミング及び第１の搬送波周波数及びマルチキャスト／ブロードキャスト信号を受信するための第２のダウンリンクタイミング及び第２の搬送波周波数を決定するための手段と、
前記ユニキャスト信号を受信するための前記第１のダウンリンクタイミングに関する前記タイミングオフセット、前記ユニキャスト信号を受信するための前記第１の搬送波周波数に関する前記周波数オフセット、前記マルチキャスト／ブロードキャスト信号を受信するための前記第２のダウンリンクタイミングに関する第２のタイミングオフセット、及び前記マルチキャスト／ブロードキャスト信号を受信するための前記第２の搬送波周波数に関する第２の周波数オフセットを決定するための手段と、
前記タイミングオフセット及び前記周波数オフセットに基づく前記受信されたユニキャスト信号または前記第２のタイミングオフセット及び前記第２の周波数オフセットに基づく前記受信されたマルチキャスト／ブロードキャスト信号のうちの少なくとも１つを復号するための手段と、
前記ＴＴＬ内の前記第１のダウンリンクタイミングを調整し、前記ＦＴＬ内の第１のサンプリング周波数を調整し、前記第２のＴＴＬ内の前記第２のダウンリンクタイミングを調整し、及び前記第２のＦＴＬ内の第２のサンプリング周波数を調整することによって前記第１のダウンリンクタイミング、前記第１のサンプリング周波数、前記第２のダウンリンクタイミング、及び前記第２のサンプリング周波数を調整するための手段と、をさらに備える請求項１９に記載の装置。
【請求項３５】
無線通信のための装置であって、
受信されたユニキャスト信号のみに基づいてユニキャスト信号と関連付けられた時間トラッキングループ（ＴＴＬ）及び周波数トラッキングループ（ＦＴＬ）を維持するための手段と、ここで、前記ＴＴＬは、タイミングオフセットに基づいて維持され、前記ＦＴＬは、周波数オフセットに基づいて維持される、
マルチキャスト／ブロードキャスト信号を受信するための手段と、
前記受信されたユニキャスト信号のみに基づいて維持される前記ＴＴＬ及び前記ＦＴＬに基づいて前記受信されたマルチキャスト／ブロードキャスト信号を復号するための手段と、備え、
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づく、無線通信のための装置。
【請求項３６】
前記ＴＴＬ及び前記ＦＴＬを前記維持するための手段は、
前記ユニキャスト信号を受信するためのダウンリンクタイミングを決定し、前記受信されたユニキャスト信号に関する前記ダウンリンクタイミングに関する前記タイミングオフセットを決定し、及び前記タイミングオフセットに基づいて前記ダウンリンクタイミングを調整することによって前記ＴＴＬを維持し、及び
前記ユニキャスト信号を受信するための搬送波周波数を決定し、前記受信されたユニキャスト信号に関する前記搬送波周波数に関する前記周波数オフセットを決定し、及び前記周波数オフセットに基づいてサンプリング周波数を調整することによって前記ＦＴＬを維持するように構成される請求項３５に記載の装置。
【請求項３７】
無線通信のための装置であって、
ユニキャスト信号と関連付けられた第１の組のトラッキングループを維持し、ここで、前記第１の組のトラッキングループは、時間トラッキングループ（ＴＴＬ）と、周波数トラッキングループ（ＦＴＬ）と、を備え、前記ＴＴＬは、タイミングオフセットに基づいて維持され、前記ＦＴＬは、周波数オフセットに基づいて維持される、
マルチキャスト／ブロードキャスト信号と関連付けられた別個の第２の組のトラッキングループを維持し、及び
前記第１の組のトラッキングループに基づく受信されたユニキャスト信号又は前記第２の組のトラッキングループに基づく受信されたマルチキャスト／ブロードキャスト信号のうちの少なくとも１つを復号する
ように構成された処理システム、を備え、
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づく、無線通信のための装置。
【請求項３８】
前記処理システムは、
前記ユニキャスト信号を受信するためのダウンリンクタイミングを決定することによって前記ＴＴＬを維持し、前記受信されたユニキャスト信号に関するダウンリンクタイミングに関する前記タイミングオフセットを決定し、及び前記タイミングオフセットに基づいて前記ダウンリンクタイミングを調整し、及び
前記ユニキャスト信号を受信するための搬送波周波数を決定することによって前記ＦＴＬを維持し、前記受信されたユニキャスト信号に関する前記搬送波周波数に関する前記周波数オフセットを決定し、及び前記周波数オフセットに基づいてサンプリング周波数を調整するようにさらに構成される請求項３７に記載の装置。
【請求項３９】
前記第２の組のトラッキングループは、第２の時間トラッキングループ（ＴＴＬ）と、第２の周波数トラッキングループ（ＦＴＬ）と、を備え、前記処理システムは、
前記マルチキャスト／ブロードキャスト信号を受信するためのダウンリンクタイミングを決定することによって前記第２のＴＴＬを維持し、前記受信されたマルチキャスト／ブロードキャスト信号に関する前記ダウンリンクタイミングに関する第２のタイミングオフセットを決定し、及び前記タイミングオフセットに基づいて前記ダウンリンクタイミングを調整し、及び
前記マルチキャスト／ブロードキャスト信号を受信するための搬送波周波数を決定することによって前記第２のＦＴＬを維持し、前記受信されたマルチキャスト／ブロードキャスト信号に関する前記搬送波周波数に関する第２の周波数オフセットを決定し、及び前記第２の周波数オフセットに基づいてサンプリング周波数を調整するようにさらに構成される請求項３７に記載の装置。
【請求項４０】
前記第２のタイミングオフセット及び前記第２の周波数オフセットは、前記受信されたマルチキャスト／ブロードキャスト信号内の単一周波数ネットワーク（ＭＢＳＦＮ）基準信号を通じてブロードキャストされるマルチメディアに基づいて決定される請求項３９に記載の装置。
【請求項４１】
前記受信されたマルチキャスト／ブロードキャスト信号は、単一周波数ネットワーク（ＭＢＳＦＮ）エリアにわたってブロードキャストされる複数のマルチメディアから受信され、前記第２のタイミングオフセットは、前記ＭＢＳＦＮエリアの各々からの前記受信されたマルチキャスト／ブロードキャスト信号の複合的なタイミングオフセットであり、前記第２の周波数オフセットは、前記ＭＢＳＦＮエリアの各々からの前記受信されたマルチキャスト／ブロードキャスト信号の複合的な周波数オフセットである請求項３９に記載の装置。
【請求項４２】
前記第１の組のトラッキングループは、前記ユニキャスト信号が受信される各搬送波に関する前記ＴＴＬと前記ＦＴＬとを備える請求項３７に記載の装置。
【請求項４３】
前記第２の組のトラッキングループは、前記マルチキャスト／ブロードキャスト信号が受信される各搬送波に関する第２のＴＴＬと第２のＦＴＬとを備える請求項３７に記載の装置。
【請求項４４】
前記受信されたマルチキャスト／ブロードキャスト信号は、単一周波数ネットワーク（ＭＢＳＦＮ）エリアにわたってブロードキャストされる複数のマルチメディアから受信され、前記第２の組のトラッキングループは、前記ＭＢＳＦＮエリアの各々に関する第２のＴＴＬと第２のＦＴＬとを備える請求項３７に記載の装置。
【請求項４５】
前記処理システムは、各ＭＢＳＦＮエリアからの前記マルチキャスト／ブロードキャスト信号内のＭＢＳＦＮ基準信号に基づいて各ＭＢＳＦＮエリアに関する前記第２のＴＴＬ及び前記第２のＦＴＬを維持するようにさらに構成される請求項４４に記載の装置。
【請求項４６】
前記ユニキャスト信号は、ユニキャスト制御情報とユニキャストデータとを備え、前記処理システムは、前記ユニキャスト制御情報および前記ユニキャストデータの両方に関して前記ＴＴＬ及び前記ＦＴＬを維持するようにさらに構成される請求項３７に記載の装置。
【請求項４７】
前記ユニキャスト制御情報は、ＭＢＳＦＮサブフレーム及び非ＭＢＳＦＮサブフレームの両方において受信される請求項４６に記載の装置。
【請求項４８】
前記ユニキャスト信号は、ユニキャスト制御情報とユニキャストデータとを備え、前記第１の組のトラッキングループは、第２のＴＴＬと、第２のＦＴＬと、をさらに備え、前記処理システムは、
前記ユニキャスト制御情報に関して前記ＴＴＬ及び前記ＦＴＬを維持し、及び
前記ユニキャストデータに関して前記第２のＴＴＬ及び前記第２のＦＴＬを維持するようにさらに構成される請求項３７に記載の装置。
【請求項４９】
前記第１のＴＴＬ及び前記第１のＦＴＬは、前記ユニキャスト制御情報内の前記ＣＲＳ又はＣＳＩ−ＲＳのうちの少なくとも１つに基づいて維持され、前記第２のＴＴＬ及び前記第２のＦＴＬは、前記ユニキャストデータ内の前記ＵＥ−ＲＳに基づいて維持される請求項４８に記載の装置。
【請求項５０】
前記第１の組のトラッキングループは、少なくとも１つのセルから受信された前記ユニキャスト信号に基づいて維持され、前記ＴＴＬは、
ダウンリンクタイミングに関する少なくとも１つのセルから受信されたユニキャスト信号の前記タイミングオフセットを追跡するためのものであり、前記ＦＴＬは、
前記ユニキャスト信号が受信される搬送波周波数に関する少なくとも１つのセルから受信されたユニキャスト信号の周波数オフセットを追跡するためのものであり、
前記少なくとも１つのセルが複数のセルであるときには、前記タイミングオフセットは、前記複数のセルのうちの各セルから受信された前記ユニキャスト信号の複合的なタイミングオフセットであり、前記周波数オフセットは、前記複数のセルのうちの各セルから受信された前記ユニキャスト信号の複合的な周波数オフセットである請求項３７に記載の装置。
【請求項５１】
前記第２の組のトラッキングループは、少なくとも１つのセルから受信された前記マルチキャスト／ブロードキャスト信号に基づいて維持され、前記第２の組のトラッキングループは、
ダウンリンクタイミングに関する前記少なくとも１つのセルから受信されたマルチキャスト／ブロードキャスト信号の第２のタイミングオフセットを追跡するための少なくとも１つの第２のＴＴＬと、
マルチキャスト／ブロードキャスト信号が受信される搬送波周波数に関する前記少なくとも１つのセルから受信された前記マルチキャスト／ブロードキャスト信号の第２の周波数オフセットを追跡するための少なくとも１つの第２のＦＴＬと、を備え、
前記少なくとも１つのセルが複数のセルであるときには、前記第２のタイミングオフセットは、前記複数のセルのうちの各セルから受信された前記マルチキャスト／ブロードキャスト信号の複合的なタイミングオフセットであり、前記第２の周波数オフセットは、前記複数のセルのうちの各セルから受信された前記マルチキャスト／ブロードキャスト信号の複合的な周波数オフセットである請求項３７に記載の装置。
【請求項５２】
前記第２の組のトラッキングループは、第２のＴＴＬと第２のＦＴＬとを備え、前記処理システムは、
ユニキャスト信号を受信するための第１のダウンリンクタイミング及び第１の搬送波周波数及びマルチキャスト／ブロードキャスト信号を受信するための第２のダウンリンクタイミング及び第２の搬送波周波数を決定し、
前記ユニキャスト信号を受信するための前記第１のダウンリンクタイミングに関する前記タイミングオフセット、前記ユニキャスト信号を受信するための前記第１の搬送波周波数に関する前記周波数オフセット、前記マルチキャスト／ブロードキャスト信号を受信するための前記第２のダウンリンクタイミングに関する第２のタイミングオフセット、及び前記マルチキャスト／ブロードキャスト信号を受信するための前記第２の搬送波周波数に関する第２の周波数オフセットを決定し、
前記タイミングオフセット及び前記周波数オフセットに基づく前記受信されたユニキャスト信号または前記第２のタイミングオフセット及び前記第２の周波数オフセットに基づく前記受信されたマルチキャスト／ブロードキャスト信号のうちの少なくとも１つを復号し、及び
前記ＴＴＬ内の前記第１のダウンリンクタイミングを調整し、前記ＦＴＬ内の第１のサンプリング周波数を調整し、前記第２のＴＴＬ内の前記第２のダウンリンクタイミングを調整し、及び前記第２のＦＴＬ内の第２のサンプリング周波数を調整することによって前記第１のダウンリンクタイミング、前記第１のサンプリング周波数、前記第２のダウンリンクタイミング、及び前記第２のサンプリング周波数を調整するようにさらに構成される請求項３７に記載の装置。
【請求項５３】
無線通信のための装置であって、
受信されたユニキャスト信号のみに基づいてユニキャスト信号と関連付けられた時間トラッキングループ（ＴＴＬ）及び周波数トラッキングループ（ＦＴＬ）を維持し、ここで、前記ＴＴＬは、タイミングオフセットに基づいて維持され、前記ＦＴＬは、周波数オフセットに基づいて維持される、
マルチキャスト／ブロードキャスト信号を受信し、及び
前記受信されたユニキャスト信号のみに基づいて維持される前記ＴＴＬ及び前記ＦＴＬに基づいて前記受信されたマルチキャスト／ブロードキャスト信号を復号する
ように構成された処理システム、を備え、
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づく、無線通信のための装置。
【請求項５４】
前記ＴＴＬ及び前記ＦＴＬを維持するために、前記処理システムは、
前記ユニキャスト信号を受信するためのダウンリンクタイミングを決定し、前記受信されたユニキャスト信号に関する前記ダウンリンクタイミングに関する前記タイミングオフセットを決定し、及び前記タイミングオフセットに基づいて前記ダウンリンクタイミングを調整することによって前記ＴＴＬを維持し、及び
前記ユニキャスト信号を受信するための搬送波周波数を決定し、前記受信されたユニキャスト信号に関する前記搬送波周波数に関する前記周波数オフセットを決定し、及び前記周波数オフセットに基づいてサンプリング周波数を調整することによって前記ＦＴＬを維持するように構成される請求項５３に記載の装置。
【請求項５５】
コンピュータによって読み取り可能な記憶媒体であって、
ユニキャスト信号と関連付けられた第１の組のトラッキングループを維持し、ここで、前記第１の組のトラッキングループは、時間トラッキングループ（ＴＴＬ）と、周波数トラッキングループ（ＦＴＬ）と、を備え、前記ＴＴＬは、タイミングオフセットに基づいて維持され、前記ＦＴＬは、周波数オフセットに基づいて維持される、
マルチキャスト／ブロードキャスト信号と関連付けられた別個の第２の組のトラッキングループを維持し、及び
前記第１の組のトラッキングループに基づく受信されたユニキャスト信号又は前記第２の組のトラッキングループに基づく受信されたマルチキャスト／ブロードキャスト信号のうちの少なくとも１つを復号するためのコードを備え、
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づく、
コンピュータによって読み取り可能な媒体。
【請求項５６】
コンピュータによって読み取り可能な記憶媒体であって、
受信されたユニキャスト信号のみに基づいてユニキャスト信号と関連付けられた時間トラッキングループ（ＴＴＬ）及び周波数トラッキングループ（ＦＴＬ）を維持し、ここで、前記ＴＴＬは、タイミングオフセットに基づいて維持され、前記ＦＴＬは、周波数オフセットに基づいて維持される、
マルチキャスト／ブロードキャスト信号を受信し、及び
前記受信されたユニキャスト信号のみに基づいて維持される前記ＴＴＬ及び前記ＦＴＬに基づいて前記受信されたマルチキャスト／ブロードキャスト信号を復号するためのコードを備え、
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づく、コンピュータによって読み取り可能な記憶媒体。
【発明の詳細な説明】
【技術分野】
【０００１】
関連出願の相互参照
本出願は、“TRACKING LOOP DESIGN FOR UNICAST AND MULTICAST/BROADCAST SIGNALS”（ユニキャスト及びマルチキャスト／ブロードキャスト信号に関するトラッキングループ設計）という題名を有し、これの譲受人に対して譲渡され、ここにおける引用によってそれの内容全体が明示でここに組み入れられている米国仮特許出願一連番号第６１／４９５，５８７号（出願日：２０１１年６月１０日）及び“TRACKING LOOP DESIGN FOR UNICAST AND MULTICAST/BROADCAST SIGNALS”（ユニキャスト及びマルチキャスト／ブロードキャスト信号に関するトラッキングループ設計）という題名を有し、これの譲受人に対して譲渡され、ここにおける引用によってそれの内容全体が明示でここに組み入れられている米国特許出願一連番号第１３／２３８，５４８号（出願日：２０１１年９月２１日）の利益を主張するものである。
【０００２】
本開示は、概して、通信システムに関するものである。本開示は、より具体的には、ユニキャスト及びマルチキャスト／ブロードキャスト信号に関するトラッキングループ設計に関するものである。
【背景技術】
【０００３】
様々な電気通信サービス、例えば、テレフォニー、映像、データ、メッセージング、ブロードキャスト、等、を提供することを目的として無線通信システムが広範囲にわたって配備されている。典型的な無線通信システムは、利用可能なシステムリソース（例えば、帯域幅、送信電力）を共有することによって複数のユーザとの通信をサポートすることが可能な多元接続技術を採用することができる。該多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一搬送波周波数分割多元接続（ＳＣ−ＦＤＭＡ）システムと、時分割同期符号分割多元接続（ＴＤ−ＳＣＤＭＡ）システムと、を含む。
【０００４】
これらの多元接続技術は、異なる無線デバイスが地方自治体、国、地域、さらには地球レベルで通信するのを可能にする共通プロトコルを提供するために様々な電気通信規格で採用されている。新生の電気通信規格の一例は、ロングタームエボリューション（Ｌｏｎｇ  Ｔｅｒｍ  Ｅｖｏｌｕｔｉｏｎ）（ＬＴＥ）である。ＬＴＥは、第３世代パートナーシッププロジェクト（３ＧＰＰ）によって公布されたユニバーサル移動体通信システム（ＵＭＴＳ）モバイル規格の一組の向上である。それは、スペクトル効率を向上させることによってモバイルブロードバンドインターネットアクセスをより良くサポートし、コストを低減させ、サービスを向上させ、新スペクトルを利用し、及びダウンリンク（ＤＬ）でのＯＦＤＭＡ、アップリンク（ＵＬ）でのＳＣ−ＦＤＭＡ、及び多入力多出力（MＩＭＯ）アンテナ技術を使用するその他のオープン規格とより良く統合するように設計されている。しかしながら、モバイルブロードバンドアクセス要求が増大し続けるのに従い、ＬＴＥ技術のさらなる改良の必要性が存在する。好ましくは、これらの改良は、その他の多元接続技術及びこれらの技術を採用する電気通信規格に適用可能であるべきである。
【発明の概要】
【０００５】
本開示の一態様では、方法、コンピュータプログラム製品、及び装置が提供される。装置は、ユニキャスト信号と関連付けられた第１の組のトラッキングループ（ｔｒａｃｋｉｎｇ  ｌｏｏｐ）を維持し、及び、マルチキャスト／ブロードキャスト信号と関連付けられた第２の組のトラッキングループを維持する。装置は、第１の組のトラッキングループに基づく受信されたユニキャスト信号又は第２のトラッキングループに基づく受信されたマルチキャスト／ブロードキャスト信号のうちの少なくとも１つを復号する。
【０００６】
本開示の一態様では、方法、コンピュータプログラム製品、及び装置が提供される。装置は、受信されたユニキャスト信号のみに基づいてユニキャスト信号と関連付けられた時間トラッキングループ及び周波数トラッキングループを維持する。装置は、マルチキャスト／ブロードキャスト信号を受信し、受信されたユニキャスト信号のみに基づいて維持される時間トラッキングループ及び周波数トラッキングループに基づいて受信されたマルチキャスト／ブロードキャスト信号を復号する。
【図面の簡単な説明】
【０００７】
【図１】処理システムを採用する装置のためのハードウェア実装の例を示した図である。
【図２】ネットワークアーキテクチャの例を示した図である。
【図３】アクセスネットワークの例を示した図である。
【図４】アクセスネットワークでの使用のためのフレーム構造の例を示した図である。
【図５】ＵＴＥにおけるＵＥのための典型的なフォーマットを示した図である。
【図６】ユーザ及び制御プレーンに関する無線プロトコルアーキテクチャの例を示した図である。
【図７】アクセスネットワークにおけるエボルブドノードＢ及びユーザ装置の例を示した図である。
【図８】各タイプの受信された信号に関する時間トラッキングループ及び周波数トラッキングループを例示したフローチャートである。
【図９】複数のタイプの受信された信号に関する１つの時間トラッキングループ及び１つの周波数トラッキングループを例示した第１のフローチャートである。
【図１０】複数のタイプの受信された信号に関する１つの時間トラッキングループ及び１つの周波数トラッキングループを例示した第２のフローチャートである。
【図１１】単一周波数ネットワークエリアにわたってブロードキャストされた各マルチメディアからのユニキャスト信号およびマルチキャスト／ブロードキャスト信号に関する複数の時間トラッキングループの結果としての異なるＤＬタイミングを例示した図である。
【図１２】第１の無線通信方法のフローチャートである。
【図１３】追加の無線通信方法のフローチャートを示す。
【図１４】他の無線通信方法のフローチャートである。
【図１５】ユニキャスト信号に関して第１の時間トラッキングループ及び第１の周波数トラッキングループが維持され、マルチキャスト／ブロードキャスト信号に関して第２の周波数トラッキングループ及び第２の周波数トラッキングループが維持される無線通信方法のフローチャートである。
【図１６】第２の無線通信方法のフローチャートである。
【図１７】典型的な装置の機能を例示した概念的ブロック図である。
【発明を実施するための形態】
【０００８】
添付図と関係させて以下において示される詳細な発明を実施するための形態は、様々な構成の説明であることが意図され、ここにおいて説明される概念を実践することができる構成のみを表すことは意図されない。詳細な発明を実施するための形態は、様々な概念の徹底的な理解を提供することを目的とする特定の詳細を含む。しかしながら、これらの概念はこれらの具体的な詳細なしに実践可能であることが当業者にとって明確であろう。幾つかの例においては、該概念を曖昧にすることを回避するためによく知られた構造及びコンポーネントはブロック図形で示される。
【０００９】
今度は、電気通信システムの幾つかの態様が様々な装置及び方法を参照して提示される。これらの装置及び方法は、以下の詳細な発明を実施するための形態において説明され、様々なブロック、モジュール、コンポーネント、回路、ステップ、プロセス、アルゴリズム、等（総称して“要素”と呼ばれる）によって添付図において例示される。これらの要素は、電子ハードウェア、コンピュータソフトウェア、又はそれらのあらゆる組み合わせを用いて実装することができる。該要素がハードウェア又はソフトウェアとして実装されるかは、特定の用途及び全体的システムに対して課せられた設計上の制約事項に依存する。
【００１０】
一例として、要素、要素のいずれかの一部分、又は要素のあらゆる組み合わせは、１つ以上のプロセッサを含む“処理システム”を用いて実装することができる。プロセッサの例は、この開示全体を通じて説明される様々な機能を果たすように構成されたマイクロプロセッサと、マイクロコントローラと、デジタル信号プロセッサ（ＤＳＰ）と、フィールドプログラマブルゲートアレイ（ＦＰＧＡ）と、プログラマブル論理デバイス（ＰＬＤ）と、ステートマシンと、ゲーテッド（ｇａｔｅｄ）ロジックと、ディスクリートハードウェア回路と、その他の適切なハードウェアと、を含む。処理システム内の１つ以上のプロセッサが、ソフトウェアを実行することができる。ソフトウェアは、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エクセキュータブル（ｅｘｅｃｕｔａｂｌｅ）、実行スレッド、プロシージャ、関数、等を意味すると広義に解釈されるものとし、ソフトウェア、ファームウェア、ミドルウェア、マイクロコード、ハードウェア記述言語、又はその他のいずれとして呼ばれるかを問わない。
【００１１】
従って、１つ以上の典型的な実施形態では、説明される機能は、ハードウェア、ソフトウェア、ファームウェア、又はそれらのあらゆる組み合わせにおいて実装することができる。ソフトウェアにおいて実装される場合は、これらの機能は、コンピュータによって読み取り可能な媒体において１つ以上の命令又はコードとして格納すること又は符号化することができる。コンピュータによって読み取り可能な媒体は、コンピュータ記憶媒体を含む。記憶媒体は、コンピュータによってアクセスすることができるあらゆるその他の利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコードを搬送又は格納するために使用することができ及びコンピュータによってアクセス可能なあらゆるその他の媒体、を含むことができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは、通常は磁気的にデータを複製し、ｄｉｓｃは、レーザを用いて光学的にデータを複製する。上記の組合せも、コンピュータによって読み取り可能な媒体の適用範囲に含められるべきである。
【００１２】
図１は、処理システム１１４を採用する装置１００のためのハードウェア実装の例を示す概念図である。この例では、処理システム１１４は、概してバス１０２によって代表されるバスアーキテクチャを用いて実装することができる。バス１０２は、処理システム１１４の特定の用途及び全体的設計上の制約事項に依存してあらゆる数の相互接続バスとブリッジとを含むことができる。バス１０２は、概してプロセッサ１０４によって代表される１つ以上のプロセッサと、概してコンピュータによって読み取り可能な媒体１０６によって代表されるコンピュータによって読み取り可能な媒体と、を含む様々な回路をまとめてリンクさせる。バス１０２は、様々なその他の回路、例えば、タイミングソース、周辺装置、電圧調整器、及び電力管理回路、等もリンクさせることができ、それらは、当業においてよく知られており、従って、これ以上は説明されない。バスインタフェース１０８は、バス１０２とトランシーバ１１０との間のインタフェースを提供する。トランシーバ１１０は、送信媒体を通じて様々なその他の装置と通信するための手段を提供する。装置の性質に依存して、ユーザインタフェース１１２（例えば、キーパッド、ディスプレイ、スピーカー、マイク、ジョイスティック）を提供することもできる。
【００１３】
プロセッサ１０４は、バス１０２及び一般的処理を管理することを担当し、コンピュータによって読み取り可能な媒体１０６に格納されたソフトウェアの実行を含む。ソフトウェアは、プロセッサ１０４によって実行されたときに、特定の装置に関して後述される様々な機能を実行することを処理システム１１４に行わせる。コンピュータによって読み取り可能な媒体１０６は、ソフトウェアを実行するときにプロセッサ１０４によって処理されるデータを格納するために使用することもできる。
【００１４】
図２は、様々な装置１００を採用するＬＴＥネットワークアーキテクチャ２００を例示する図である（図１参照）。ＬＴＥネットワークアーキテクチャ２００は、エボルブドパケットシステム（Ｅｖｏｌｖｅｄ  Ｐａｃｋｅｔ  Ｓｙｓｔｅｍ）（ＥＰＳ）２００と呼ばれることがある。ＥＰＳ２００は、１つ以上のユーザ装置（ＵＥ）２０２と、エボルブドＵＭＴＳ地上無線アクセスネットワーク（Ｅ−ＵＴＲＡＮ）２０４と、エボルブドパケットコア（Ｅｖｏｌｖｅｄ  Ｐａｃｋｅｔ  Ｃｏｒｅ（ＥＰＣ）２１０と、ホーム加入者サーバ（Ｈｏｍｅ  Ｓｕｂｓｃｒｉｂｅｒ  Ｓｅｒｖｅｒ）（ＨＳＳ）２２０と、オペレータのＩＰサービス２２２と、を含むことができる。ＥＰＳは、その他のアクセスネットワークと相互接続可能であるが、簡略化を目的としてそれらのエンティティ／インタフェースは示されない。示されるように、ＥＰＳは、パケット交換サービスを提供するが、当業者が容易に評価することになるように、この開示全体にわたって提示された様々な概念は、回線交換サービスを提供するネットワークに拡張することができる。
【００１５】
Ｅ−ＵＴＲＡＮは、エボルブドＮｏｄｅＢ（ｅＮＢ）２０６と、その他のｅＮＢ２０８と、を含む。ｅＮＢ２０６は、ＥＵ２０２に向かうユーザ及び制御プレーンプロトコルの終端（ｔｅｒｍｉｎａｔｉｏｎ）を提供する。ｅＮＢ２０６は、Ｘ２インタフェース（すなわち、バックホール）を介してその他のｅＮＢ２０８に接続することができる。ｅＮＢ２０６は、基地局、ベーストランシーバ局、無線基地局、無線トランシーバ、トランシーバ機能、ベーシックサービスセット（ＢＳＳ）、拡張サービスセット（ＥＳＳ）、又は何らかのその他の適切な用語で当業者によって呼ばれることもある。ｅＮＢ２０６は、ＥＵ２０２のためのＥＰＣ２１０にアクセスポイントを提供する。ＵＥ２０２の例は、携帯電話、スマートフォン、セッション開始プロトコル（ＳＩＰ）フォン、ラップトップ、パーソナルデジタルアシスタント（ＰＤＡ）、衛星無線、全地球測位システム、マルチメディアデバイス、ビデオデバイス、デジタルオーディオプレーヤー（例えば、ＭＰ３プレーヤー）、カメラ、ゲームコンソール、又はあらゆるその他の同様の機能デバイスを含む。ＵＥ２０２は、移動局、加入者局、モバイルユニット、加入者ユニット、無線ユニット、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、又は何らかのその他の用語で当業者によって呼ばれることもある。
【００１６】
ｅＮＢ２０６は、Ｓ１インタフェースによってＥＰＣ２１０に接続される。ＥＰＣ２１０は、移動性管理エンティティ（Ｍｏｂｉｌｉｔｙ  Ｍａｎａｇｅｍｅｎｔ  Ｅｎｔｉｔｙ）（ＭＭＥ）２１２と、その他のＭＭＥ２１４と、サービングゲートウェイ２１６と、パケットデータネットワーク（ＰＤＮ）ゲートウェイ２１８と、を含む。ＭＭＥ２１２は、ＵＥ２０２とＥＰＣ２１０との間でのシグナリングを処理する制御ノードである。概して、ＭＭＥ２１２は、ベアラ及び接続管理を提供する。すべてのユーザＩＰパケットがサービングゲートウェイ２１６を通じて転送され、それ自体は、ＰＤＮゲートウェイ２１８に接続される。ＰＤＮゲートウェイ２１８は、ＵＥ  ＩＰアドレス割り当て及びその他の機能を提供する。ＰＤＮゲートウェイ２１８は、オペレータのＩＰサービス２２２に接続される。オペレータのＩＰサービス２２２は、インターネットと、イントラネットと、ＩＰマルチメディアサブシステム（ＩＭＳ）と、ＰＳストリーミングサービス（ＰＳＳ）と、を含む。
【００１７】
図３は、ＬＴＥネットワークアーキテクチャ内のアクセスネットワークの例を示す図である。この例では、アクセスネットワーク３００は、幾つかのセルラー地域（セル）３０２に分割される。１つ以上のより低い電力クラスのｅＮＢ３０８、３１２は、セル３０２のうちの１つ以上と重なり合うセルラー地域３１０、３１４をそれぞれ有することができる。より低い電力クラスのｅＮＢ３０８、３１２は、フェムトセル（例えば、ホームｅＮＢ（ＨｅＮＢ））、ピコセル、又はミクロセルであることができる。セル３０２にはより高い電力クラス又はマクロのｅＮＢ３０４が割り当てられ、セル３０２内のすべてのＵＥ３０６のためのＥＰＣ２１０にアクセスポイントを提供するように構成される。アクセスネットワーク３００のこの例では集中型コントローラは存在しないが、代替構成では集中型コントローラを使用することができる。ｅＮＢ３０４は、無線ベアラ制御と、アドミッション制御と、移動性制御と、スケジューリングと、セキュリティと、サービングゲートウェイ２１６への接続性と、を含むすべての無線関連機能を担当する（図２参照）。
【００１８】
アクセスネットワーク３００によって採用された変調及び多元接続方式は、配備されている特定の電気通信規格に依存して変わることができる。ＬＴＥ用途では、周波数分割複信（ＦＤＤ）及び時分割複信（ＴＤＤ）の両方をサポートするためにＤＬではＯＦＤＭが用いられ、ＵＬではＳＣ−ＦＤＭＡが用いられる。当業者が後続する詳細な説明から容易に評価することになるように、ここにおいて提示される様々な概念は、ＬＴＥ用途に非常に適する。しかしながら、これらの概念は、その他の変調及び多元接続技法を採用するその他の電気通信規格に容易に拡張させることができる。例として、これらの概念は、エボリューションデータオプティマイズド（Ｅｖｏｌｕｔｉｏｎ−Ｄａｔａ  Ｏｐｔｉｍｉｚｅｄ（ＥＶ−ＤＯ）又はウルトラモバイルブロードバンド（Ｕｌｔｒａ  Ｍｏｂｉｌｅ  Ｂｒｏａｄｂａｎｄ）（ＵＭＢ）に拡張させることができる。ＥＶ−ＤＯ及びＵＭＢは、ＣＤＭＡ２０００規格系統の一部として第３世代パートナーシッププロジェクト２（３ＧＰＰ２）によって公布されたエアインタフェース規格であり、移動局にブロードバンドインターネットアクセスを提供するためにＣＤＭＡを採用する。これらの概念は、ワイドバンドＣＤＭＡ（Ｗ−ＣＤＭＡ）及びＣＤＭＡのその他の変形、例えば、ＴＤ−ＳＣＤＭＡ、を採用するユニバーサル地上無線アクセス（ＵＴＲＡ）、ＴＤＭＡを採用するグローバル移動体通信システム（ＧＳＭ（登録商標））、及び、ＯＦＤＭＡを採用するエボルブドＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、及びＦｌａｓｈ−ＯＦＤＭに拡張させることも可能である。ＵＴＲＡ、Ｅ−ＵＴＲＡ、ＵＭＴＳ、ＬＴＥ及びＧＳＭは、３ＧＰＰ組織からの文書において説明される。ＣＤＭＡ２０００及びＵＭＢは、３ＧＰＰ２組織からの文書において説明される。採用される実際の無線通信規格及び多元接続技術は、特定の用途及びシステムに対して課せられた全体的な設計上の制約事項に依存する。
【００１９】
ｅＮＢ３０４は、ＭＩＭＯ技術をサポートする複数のアンテナを有することができる。ＭＩＭＯ技術の使用は、ｅＮＢ３０４が空間多重化、ビーム形成、及び送信ダイバーシティをサポートするために空間領域を利用するのを可能にする。
【００２０】
空間多重化は、データの異なるストリームを同じ周波数で同時に送信するために使用することができる。データストリームは、データレートを増大させるために単一のＵＥ３０６に又は全体的システム容量を増大させるために複数のＵＥ３０６に送信することができる。これは、各データストリームを空間プリコーディングし（すなわち、振幅及び位相のスケーリングを適用し）、次に、ダウンリンクで複数の送信アンテナを通じて各々の空間プリコーディングされたストリームを送信することによって達成される。空間プリコーディングされたデータストリームは、異なる空間シグナチャ（ｓｉｇｎａｔｕｒｅ）でＵＥ（複数を含む）３０６に到着し、それは、ＵＥ（複数を含む）３０６の各々がそのＵＥ３０６向けの１つ以上のデータストリームを復元するのを可能にする。アップリンクにおいて、各ＵＥ３０６は、空間プリコーディングされたデータストリームを送信し、それは、ｅＮＢ３０４が各々の空間プリコーディングされたデータストリームの源を特定するのを可能にする。
【００２１】
空間多重化は、チャネル状態が良好であるときに概して用いられる。チャネル状態がそれよりも好ましくないときには、１つ以上の方向の送信エネルギーを集中させるためにビーム形成を使用することができる。これは、複数のアンテナを通じての送信のためにデータを空間プリコーディングすることによって達成させることができる。セルの縁部において良好なカバレッジを達成させるために、単一のストリームビーム形成送信を送信ダイバーシティと組み合わせて使用することができる。
【００２２】
後続する詳細な説明においては、ダウンリンクでのＯＦＤＭをサポートするＭＩＭＯシステムを参照してアクセスネットワークの様々な態様が説明される。ＯＦＤＭは、ＯＦＤＭシンボル内の幾つかの副搬送波にわたってデータを変調する拡散スペクトル技法である。副搬送波は、正確な周波数で間隔をあけて配置される。間隔をあけることは、受信機が副搬送波からデータを復元するのを可能にする“直交性”を提供する。時間領域では、ＯＦＤＭシンボル間干渉に対処するために各ＯＦＤＭシンボルにガード間隔（例えば、サイクリックプリフィックス）を加えることができる。アップリンクは、高ピーク対平均電力比（ＰＡＰＲ）を補償するためにＤＦＴ−拡散ＯＦＤＭ信号の形態でＳＣ−ＦＤＭＡを使用することができる。
【００２３】
ＤＬ及びＵＬ送信をサポートするために様々なフレーム構造を使用することができる。今度は、図４を参照してＤＬフレーム構造の一例が提示される。しかしながら、当業者が容易に評価することになるように、特定の用途のためのフレーム構造は、あらゆる数の要因に依存して異なることができる。この例では、フレーム（１０ｍｓ）は、１０の等しいサイズのサブフレームに分割される。各サブフレームは、２つの連続するタイムスロットを含む。
【００２４】
２つのタイムスロットを表すためにリソースグリッドを使用することができ、各タイムスロットは、リソースブロックを含む。リソースグリッドは、複数のリソース要素に分割される。ＬＴＥでは、リソースブロックは、周波数領域において１２の連続する副搬送波を含み、各ＯＦＤＭシンボル内の通常のサイクリックプリフィックスのために、時間領域において７つの連続するＯＦＤＭシンボル、すなわち８４のリソース要素、を含む。Ｒ４０２、４０４として示されるリソース要素の一部は、ＤＬ基準信号（ＤＬ−ＲＳ）を含む。ＤＬ−ＲＳは、各々のセルごとのＲＳ（ＣＲＳ）（共通ＲＳとも呼ばれる）４０２と、各々のＵＥごとのＲＳ（ＵＥ−ＲＳ）４０４とを含む。ＵＥ−ＲＳ４０４は、対応する物理ダウンリンク共有チャネル（ＰＤＳＣＨ）がマッピングされるリソースブロックのみで送信される。各リソース要素によって搬送されるビット数は、変調方式に依存する。従って、ＵＥが受信するリソースブロックが多いほど及び変調方式が高いほど、ＵＥのためのデータレートが高くなる。
【００２５】
今度は、図５を参照してＵＬフレーム構造５００の一例が提示される。図５は、ＬＴＥにおけるＵＬのための典型的なフォーマットを示す。ＵＬのための利用可能なリソースブロックは、データ部及び制御部に区分することができる。制御部は、システム帯域幅の２つの縁部において形成することができ及び設定可能なサイズを有することができる。制御部内のリソースブロックは、制御情報の送信のためにＵＥに割り当てることができる。データ部は、制御部に含められないすべてのリソースブロックを含むことができる。図５の設計は、結果的に、隣接する副搬送波を含むデータ部が得られ、それは、単一のＵＥにデータ部内のすべての隣接する副搬送波を割り当てるのを可能にすることができる。
【００２６】
ＵＥには、ｅＮＢに制御情報を送信するために制御部においてリソースブロック５１０ａ、５１０ｂを割り当てることができる。ＵＥには、ｅＮＢにデータを送信するためにデータ部においてリソースブロック５２０ａ、５２０ｂを割り当てることもできる。ＵＥは、制御部の割り当てられたリソースブロックにおいて物理アップリンク制御チャネル（ＰＵＣＣＨ）で制御情報を送信することができる。ＵＥは、データ部の割り当てられたリソースブロックにおいて物理アップリンク共有チャネル（ＰＵＳＣＨ）でデータのみ又はデータおよび制御情報の両方を送信することができる。ＵＬ送信は、図５に示されるように、サブフレームの両スロットにまたがることができ及び周波数ホッピングすることができる。
【００２７】
図５に示されるように、最初のシステムアクセスを行って物理ランダムアクセスチャネル（ＰＲＡＣＨ）５３０においてＵＬ同期化を達成させるためにリソースブロックの組を使用することができる。ＰＲＡＣＨ５３０は、ランダムシーケンスを搬送し、どのようなＵＬデータ／シグナリングも搬送できない。各ランダムアクセスプリアンブルは、６つの連続するリソースブロックに対応する帯域幅を占有する。開始周波数はネットワークによって指定される。すなわち、ランダムアクセスプリアンブルの送信は、一定の時間及び周波数リソースに制限される。ＰＲＡＣＨに関する周波数ホッピングはない。ＰＲＡＣＨ試行は、単一のサブフレーム（１ｍｓ）で又は幾つかの隣接するサブフレームの系列で行われ、ＵＥは、フレーム（１０ｍｓ）ごとに単一のＰＲＡＣＨ試行のみを行うことができる。
【００２８】
無線プロトコルアーキテクチャは、特定の用途に依存して様々な形態をとることができる。今度は、図６を参照してＬＴＥシステムに関する一例が提示される。図６は、ユーザ及び制御プレーンのための無線プロトコルアーキテクチャの例を示す概念図である。
【００２９】
図６を参照し、ＵＥ及びｅＮＢのための無線プロトコルアーキテクチャが３つの層：層１、層２、及び層３とともに示される。層１（Ｌ１層）は、最下位層であり、様々な物理層信号処理機能を実装する。Ｌ１層は、ここでは物理層６０６と呼ばれる。層２（Ｌ２層）６０８は、物理層６０６の上方に存在し、物理層６０６上方でのＵＥとｅＮＢとの間でのリンクを担当する。
【００３０】
ユーザプレーンでは、Ｌ２層６０８は、メディアアクセス制御（ＭＡＣ）副層６１０と、無線リンク制御（ＲＬＣ）副層６１２と、パケットデータコンバージェンスプロトコル（ｐａｃｋｅｔ  ｄａｔａ  ｃｏｎｖｅｒｇｅｎｃｅ  ｐｒｏｔｏｃｏｌ）（ＰＤＣＰ）６１４副層と、を含み、それらは、ネットワーク側のｅＮＢで終端される。示されていないが、ＵＥは、Ｌ２層６０８の上方において幾つかの上位層を有することができ、ネットワーク側のＰＤＮゲートウェイ２０８（図２参照）において終端されるネットワーク層（例えば、ＩＰ層）と、コネクションの他方の端部（例えば、遠端ＵＥ、サーバ、等）で終端されるアプリケーション層と、を含む。
【００３１】
ＰＤＣＰ副層６１４は、異なる無線ベアラと論理チャネルとの間での多重化を提供する。ＰＤＣＰ副層６１４は、無線送信オーバーヘッドを低減させるための上位層データパケットのためのヘッダ圧縮、データパケットを暗号化することによるセキュリティ、及びｅＮＢ間のＵＥのためのハンドオーバーサポートも提供する。ＲＬＣ副層６１２は、上位層データパケットのセグメンテーションと再組み立て、失われたデータパケットの再送信、及びハイブリッド自動再送要求（ＨＡＲＱ）に起因する順序通りでない受信を補償するためのデータパケットの再順序設定を提供する。ＭＡＣ副層６１０は、論理チャネルとトランスポートチャネルとの間での多重化を提供する。ＭＡＣ副層６１０は、ＵＥ間で１つのセル内の様々な無線リソース（例えば、リソースブロック）を割り当てることも担当する。ＭＡＣ副層６１０は、ＨＡＲＱ動作も担当する。
【００３２】
制御プレーンでは、ＵＥ及びｅＮＢのための無線プロトコルアーキテクチャは、物理層６０６及びＬ２層６０８に関して実質的に同じであり、制御プレーンのためのヘッダ圧縮機能が存在しないことが例外である。制御プレーンは、層３（Ｌ３層）において無線リソース制御（ＲＲＣ）副層６１６も含む。ＲＲＣ副層６１６は、無線リソース（すなわち、無線ベアラ）を入手すること及びｅＮＢとＵＥとの間でのＲＲＣシグナリングを用いて下位層を構成することを担当する。
【００３３】
図７は、アクセスネットワークにおいてＵＥ７５０と通信するｅＮＢ７１０のブロック図である。ＤＬでは、コアネットワークからの上位層パケットがコントローラ／プロセッサ７７５に提供される。コントローラ／プロセッサ７７５は、図６と関係させて上記において説明されたＬ２層の機能を実装する。ＤＬでは、コントローラ／プロセッサ７７５は、様々な優先度メトリックに基づいてヘッダ圧縮、暗号化、パケットのセグメンテーションと再順序設定、論理チャネルとトランスポートチャネルとの間での多重化、及びＵＥ７５０への無線リソース割り当てを提供する。コントローラ／プロセッサ７７５は、ＨＡＲＱ動作、失われたパケットの再送信、及びＵＥ７５０へのシグナリングも担当する。
【００３４】
ＴＸプロセッサ７１６は、Ｌ１層（すなわち、物理層）のための様々な信号処理機能を実装する。信号処理機能は、ＵＥ７５０での前方誤り訂正（ＦＥＣ）を容易にするためのコーディング及びインターリービングと、様々な変調方式（例えば、二位相偏移変調（ＢＰＳＫ）、直交位相偏移変調（ＱＰＳＫ）、Ｍ位相偏移変調（Ｍ−ＰＳＫ）、Ｍ直交振幅変調（Ｍ−ＱＡＭ））に基づく信号点配置へのマッピングとを含む。コーディング及び変調されたシンボルは、平行なストリームに分割される。各ストリームは、ＯＦＤＭ副搬送波にマッピングされ、時間及び／又は周波数領域で基準信号（例えば、パイロット）と多重化され、逆高速フーリエ変換（ＩＦＦＴ）を用いてまとめて結合され、時間領域ＯＦＤＭシンボルストリームを搬送する物理チャネルが生成される。ＯＦＤＭストリームは、複数の空間ストリームを生成するために空間プリコーディングされる。コーディング及び変調方式を決定するために、及び空間処理のためにチャネル推定器７７４からのチャネル推定値を使用することができる。チャネル推定値は、ＵＥ７５０によって送信された基準信号及び／又はチャネル状態フィードバックから導き出すことができる。次に、各空間ストリームは、別々の送信機７１８ＴＸを介して異なるアンテナ７２０に提供される。各送信機７１８ＴＸは、送信のためにＲＦ搬送波を各々の空間ストリームとともに変調する。
【００３５】
ＵＥ７５０において、各受信機７５４ＲＸは、それの各々のアンテナ７５２を通じて信号を受信する。各受信機７５４ＲＸは、ＲＦ搬送波上に変調された情報を復元し、その情報を受信機（ＲＸ）プロセッサ７５６に提供する。
【００３６】
ＲＸプロセッサ７５６は、Ｌ１層の様々な信号処理機能を実装する。ＲＸプロセッサ７５６は、情報に対する空間処理を行い、ＵＥ７５０向けの空間ストリームを復元する。複数の空間ストリームがＵＥ７５０向けである場合は、それらは、ＲＸプロセッサ７５６によって結合して単一のＯＦＤＭシンボルストリームにすることができる。次に、ＲＸプロセッサ７５６は、高速フーリエ変換（ＦＦＴ）を用いて時間領域から周波数領域にＯＦＤＭシンボルストリームを変換する。周波数領域信号は、ＯＦＤＭ信号の各副搬送波のための別々のＯＦＤＭシンボルストリームを備える。各副搬送波上のシンボル、及び基準信号は、ｅＮＢ７１０によって送信された最も可能性が高い信号点配置を決定することによって復元及び復調される。これらのソフト決定は、チャネル推定器７５８によって計算されたチャネル推定値に基づくことができる。次に、ソフト決定が復号及びデインターリービングされ、物理チャネルでｅＮＢ７１０によって最初に送信されたデータ及び制御信号が復元される。次に、データ及び制御信号は、コントローラ／プロセッサ７５９に提供される。
【００３７】
コントローラ／プロセッサ７５９は、図６と関係させて上述されるＬ２層を実装する。ＵＬでは、制御（ｃｏｎｔｒｏｌ）／プロセッサ７５９は、コアネットワークから上位層パケットを復元するための、トランスポートチャネルと論理チャネルとの間での多重分離、パケット再組み立て、復号、ヘッダ伸張、制御信号処理を提供する。次に、上位層パケットは、データシンク７６２に提供され、それは、Ｌ２層上方の全プロトコル層を表す。様々な制御信号をＬ３処理のためにデータシンク７６２に提供することもできる。コントローラ／プロセッサ７５９は、ＨＡＲＱ動作をサポートするために肯定応答（ＡＣＫ）及び／又は否定応答（ＮＡＣＫ）プロトコルを用いた誤り訂正も担当する。
【００３８】
ＵＬにおいて、コントローラ／プロセッサ７５９に上位層パケットを提供するためにデータソース７６７が使用される。データソース７６７は、Ｌ２層（Ｌ２）上方の全プロトコル層を表す。ｅＮＢ７１０によるＤＬ送信と関係させて説明される機能と同様に、コントローラ／プロセッサ７５９は、ｅＮＢ７１０による無線リソース割り当てに基づいてヘッダ圧縮、暗号化、パケットのセグメンテーションと再順序設定、及び論理チャネルとトランスポートチャネルとの間での多重化を提供することによってユーザプレーン及び制御プレーンのためのＬ２層を実装する。コントローラ／プロセッサ７５９は、ＨＡＲＱ動作、失われたパケットの再送信、及びｅＮＢ７１０へのシグナリングも担当する。
【００３９】
ｅＮＢ７１０によって送信された基準信号又はフィードバックからチャネル推定器７５８によって導き出されたチャネル推定値は、適切なコーディング及び変調方式を選択するために、及び空間処理を容易にするためにＴＸプロセッサ７６８によって使用することができる。ＴＸプロセッサ７６８によって生成された空間ストリームは、別々の送信機７５４ＴＸを介して異なるアンテナ７５２に提供される。各送信機７５４ＴＸは、送信のためにＲＦ搬送波を各々の空間ストリームとともに変調する。
【００４０】
ＵＬ送信は、ＵＥ７５０における受信機機能と関係させて説明される方法と同様のそれでｅＮＢ７１０において処理される。各受信機７１８ＲＸは、それの各々のアンテナ７２０を通じて信号を受信する。各受信機７１８ＲＸは、ＲＦ搬送波上に変調された情報を復元し、ＲＸプロセッサ７７０にその情報を提供する。ＲＸプロセッサ７７０は、Ｌ１層を実装することができる。
【００４１】
コントローラ／プロセッサ７７５は、図６と関係させて上述されるＬ２層を実装する。ＵＬにおいて、制御／プロセッサ７７５は、ＵＥ７５０から上位層パケットを復元するための、トランスポートチャネルと論理チャネルとの間での多重分離、パケット再組み立て、復号、ヘッダ伸張、制御信号処理を提供する。コントローラ／プロセッサ７７５からの上位層パケットは、コアネットワークに提供することができる。コントローラ／プロセッサ７７５は、ＨＡＱＲ動作をサポートするためにＡＣＫ及び／又はＮＡＣＫプロトコルを用いた誤り検出も担当する。図１と関連して説明される処理システム１１４は、ＵＥ７５０を含む。特に、処理システム１１４は、ＴＸプロセッサ７６８と、ＲＸプロセッサ７５６と、コントローラ／プロセッサ７５９と、を含む。
【００４２】
無線通信ネットワークは、ブロードキャスト、マルチキャスト、及びユニキャストサービスをサポートすることができる。ユニキャストサービスは、特定のユーザを対象とするサービスであり、例えば、音声呼である。ブロードキャストサービスは、全ユーザによって受信することができ、例えば、ニュースブロードキャストである。マルチキャストサービスは、ユーザのグループによって受信することができるサービスであり、例えば、加入ビデオサービスである。ブロードキャストサービス及びマルチキャストサービスは、単一周波数ネットワーク（ＭＢＳＦＮ）サブフレームを通じてのマルチメディアブロードキャスト中に提供することができる。エボルブドＭＢＭＳ（ｅＭＢＭＳ）の特徴は、ＭＢＳＦＮ動作モードが備えられ、同じ地理上の地域内の複数の受信元にＵＭＴＳ  ＬＴＥ  ｅＮＢを用いて同じメディア信号を同時に送信することができる。位置に基づくサービスの例は、各々の位置ごとの広告又は交通警報である。ブロードキャスト動作の性質上、及び効率的なサービスの提供のために、これらのサービスの配信は、大きな地理上のエリアにわたって生じることができ、例えば、首都圏の一部又は全体を網羅した１つ以上の送信機サイトによってブロードキャストすることができる。各々の位置ごとのコンテンツは、ブロードキャスト受信エリアと比較して特定の典型的にははるかに小さいエリア内に位置するユーザがしばしば対象になる。例えば、位置に基づく広告又はクーポンは、時間限定の販売又は促進を実施中の特定の店舗の付近に位置するエンドユーザを対象とすることができる。さらに、交通警報は、概して、出来事による影響を受けやすい−例えば、高速道路のうちの渋滞が発生している区間に向かっているか又はその付近に位置する自動車運転者にとって最も該当する。ユニキャスト及びマルチキャスト／ブロードキャストサービスに関して、ＵＥは、ＤＬタイミングを更新するための時間トラッキングループ（ＴＴＬ）及びそれらのサービスに関連する信号を受信するための搬送波周波数に関してサンプリング周波数を更新するための周波数トラッキングループ（ＦＴＬ）を維持することができる。
【００４３】
ＴＴＬ及びＦＴＬは、受信機性能における重要な要因である。ＴＴＬは、ＦＦＴウィンドウの正確な開始点を可能にし、従って、シンボル間干渉が最小に抑えられる。ＦＴＬは、正確なサンプリング周波数を可能にし、従って、搬送波間干渉が最小に抑えられる。ＴＴＬ内で決定されたタイミングオフセット及びＦＴＬ内で決定された周波数オフセットは、現在のサブフレーム内でのチャネル推定のためにさらに使用することができ、ＤＬタイミング（すなわち、ＦＦＴウィンドウの開始点）及び次のサブフレームのためのサンプリング周波数を更新するために使用される。ＴＴＬ及びＦＴＬは、信号が単一のセル又は複数のセルのいずれから来ているかに依存して異なることができる。ユニキャスト信号の場合は、データは、サービスを提供するセルから送信することができ、この場合はその他のセルが干渉を引き起こし、又は、データは幾つかの調整セルから送信することができ、この場合は非調整セルが干渉を引き起こす。データがサービス提供セルのみから送信されるときには、ＴＴＬ及びＦＴＬは、サービス提供セルから有用な信号を捕捉することによってサービス提供セルのタイミングオフセット及び周波数オフセットをそれぞれ追跡する（ｔｒａｃｋ）ことができる。データが幾つかの調整セルから送信されるときには（例えば、制御が単一のセルから来ており、他方、データが複数のセルからいっしょに送信される調整された中点送信及び受信（ｃｏｏｒｄｉｎａｔｅｄ  ｍｉｄｐｏｉｎｔ  ｔｒａｎｓｍｉｓｓｉｏｎ  ａｎｄｒｅｃｅｐｔｉｏｎ）（ＣｏＭＰ））、ＴＴＬ及びＦＴＬは、調整セルからの信号に基づくことができる。マルチキャスト／ブロードキャスト信号の場合は、１つ又は複数のセルから有用な信号がやって来ることができる。ＴＴＬは、すべてのＭＢＳＦＮセルからすべての有用な信号を捕捉するのを試みることができる。ＦＴＬは、個々のセルからの１つのＭＢＳＦＮ信号ではなく、複数のセルからの複数のＭＢＳＦＮ信号に関する複合的周波数オフセットを追跡するのが必要になるであろう。各ＭＢＳＦＮエリアは、ＭＢＳＦＮ信号を送信する異なるセルのグループを概して有する。例えば、ＭＢＳＦＮエリアＡからの信号は、ＭＢＳＦＮエリアＢからの信号と異なるセルから送信することができる。従って、タイミングオフセット及び周波数オフセットは、ＭＢＳＦＮエリアＡ及びＭＢＳＦＮエリアＢで異なることができる。
【００４４】
ＵＥがユニキャスト信号及びマルチキャスト／ブロードキャスト信号の両方に関して同じＴＴＬ及びＦＴＬを使用するときには、ＵＥは、ユニキャスト信号及びマルチキャスト／ブロードキャスト信号の両方に基づいてＴＴＬ及びＦＴＬを更新し、ＵＥは、ユニキャスト信号及びマルチキャスト／ブロードキャスト信号の両方を受信するためのトラッキングループの結果更新されたＤＬタイミング及びサンプリング周波数を使用する。ユニキャスト信号及びマルチキャスト／ブロードキャスト信号の両方の結果更新されたＤＬタイミング及びサンプリング周波数を使用しても、ユニキャスト信号及びマルチキャスト／ブロードキャスト信号のための最良のタイミング及び周波数情報が保証されないことがある。この場合は、物理マルチキャストチャネル（ＰＭＣＨ）シンボルは、その他のセルからの信号を捕捉するために拡張されたＣＰに依存することができる。さらに、ＦＦＴウィンドウ位置は、ＭＢＳＦＮ信号にとって最良でないことがある。ＭＢＳＦＮが送信機において完璧に同期化されている場合でも、ＵＥに到着する信号は、異なる伝搬距離に起因して異なる遅延を有することがある。従って、ユニキャスト及びマルチキャスト／ブロードキャストタイミングは、ＭＢＳＦＮに関して有用な信号を捕捉できないことがある。さらに、ＦＴＬが複数のセルからの複合信号から周波数を追跡することが保証されない。これは、ｅＮＢ間周波数オフセットが存在するときに特に当てはまる。現在のｅＮＢ周波数に関する要件は次の通りである。
【表１】
0006017551.tif 000002
【００４５】
ＵＥは、ユニキャスト信号及びマルチキャスト／ブロードキャスト信号の両方に基づいて維持されるトラッキングループがユニキャスト信号及びブロードキャスト／ユニキャスト信号の両方を復号するために使用されるときにはＰＭＣＨ性能喪失を経験することがある。
【００４６】
１つの典型的な方法では、ＵＥは、ユニキャスト信号と関連付けられた第１の組のトラッキングループ及びマルチキャスト／ブロードキャスト信号（例えば、エボルブドマルチメディアブロードキャスト及びマルチメディアサービス（ｅＭＢＭＳ））と関連付けられた第２の組のトラッキングループを維持することができる。ＵＥは、第１の組のトラッキングループに基づく受信されたユニキャスト信号又は第２の組のトラッキングループに基づく受信されたマルチキャスト／ブロードキャスト信号のうちの少なくとも１つを復号することができる。
【００４７】
ＵＥ受信機に関する１つの典型的な構成では、ＵＥは、ユニキャスト信号に関する搬送波ごとのトラッキングループ及びマルチキャスト／ブロードキャスト信号に関する搬送波ごとのトラッキングループを維持することができる。さらに、ＵＥは、ＵＥがマルチキャスト／ブロードキャスト信号を受信中である各搬送波に関するＭＢＳＦＮエリアごとのトラッキングループを維持することができる。具体的には、ＵＥは、各々の起動された搬送波に関するユニキャストトラッキングループを維持することができる。トラッキングループは、ＣＲＳ、チャネル状態情報基準信号（ＣＳＩ−ＲＳ）、又はＵＥ−ＲＳに基づくことができる。さらに、ユニキャストデータ及びユニキャスト制御に関して異なるトラッキングループが維持されるようにデータ及び制御を切り離すことができる。該構成では、ユニキャスト制御トラッキングループは、ＣＲＳ又はＣＳＩ−ＲＳに基づくことができ、他方、ユニキャストデータトラッキングループは、ＵＥ−ＲＳに基づくことができる。ＵＥは、ＵＥがマルチキャスト／ブロードキャストサービスを受け取る各搬送波に関してＭＢＳＦＮエリアごとのマルチキャスト／ブロードキャストトラッキングループを維持することもできる。該構成では、トラッキングループは、アンテナポート４で送信されるマルチキャスト／ブロードキャストＲＳに基づくことができる。
【００４８】
ＵＥ受信機の一構成では、ユニキャスト制御、ユニキャストデータ、及びＭＢＳＦＮシンボルに関して異なるタイミングオフセット（すなわち、ＦＦＴウィンドウ位置）及び周波数オフセットが存在することができる。制御シンボルは、ユニキャスト制御トラッキングループに常に従うことができる。該制御シンボルは、非ＭＢＳＦＮサブフレーム及びＭＢＳＦＮサブフレームの両方における制御シンボルを含む。ＭＢＳＦＮサブフレーム及び非ＭＢＳＦＮサブフレームの両方において受信される制御シンボルは、ユニキャスト制御情報である。送信モード７／８／９での（ＰＤＳＣＨで搬送された）ユニキャストデータシンボルは、ユニキャストデータトラッキングループに従うことができる。送信モード７／８／９は、ＵＥ−ＲＳに基づき、従って、該送信モードでのデータが複数のセルから送信される可能性がある。ｅＮＢからの明示のシグナリングが、いずれのセルがユニキャストデータを送信中であるかをＵＥに知らせることができる。参加しているセルに依存して、ＵＥは、ユニキャスト制御ループを使用すること又は別個のループをデータのために使用することができる。例えば、２つ以上のセルがユニキャストデータを送信中である場合は、ＵＥは、（サービス提供セルから送信される）ユニキャスト制御情報に関して使用されるのと別個のループを（例えば、ＵＥ−ＲＳに基づく）ユニキャストデータのために使用することができる。ＭＢＳＦＮサブフレーム内の（ＰＭＣＨで搬送される）マルチキャスト／ブロードキャストデータシンボルは、マルチキャスト／ブロードキャストトラッキングループに従うことができる。異なるＭＢＳＦＮエリアからのＰＭＣＨシンボルは、異なるマルチキャスト／ブロードキャストトラッキングループに従うことができる。ＵＥは、システム情報ブロック１３（ＳＩＢ１３）及びマルチキャスト制御チャネル（ＭＣＣＨ）からいずれのＰＭＣＨサブフレームがいずれのＭＢＳＦＮエリアに属するかを決定することができる。
【００４９】
代替として、単純化された構成では、２つの別々の組のループを提供することができる。これらの２つの別々の組のループは、ユニキャスト信号に関してはユニキャストＴＴＬ及びユニキャストＦＴＬ、マルチキャスト／ブロードキャスト信号に関してはマルチキャスト／ブロードキャストＴＴＬ及びマルチキャスト／ブロードキャストＦＴＬを含むことができ、異なるＭＢＳＦＮエリアが同じＴＴＬ及びＦＴＬを使用する。単純化された構成では、その結果として、１つのＭＢＳＦＮエリアが１つのセルを含み、他のＭＢＳＦＮエリアが複数のセルを含む場合はより多くのシンボル間干渉及び搬送波間干渉が発生することがある。異なるＭＢＳＦＮエリアが異なるセルをＭＢＳＦＮ送信に参加させることができ、従って、異なるタイミングオフセット及び周波数オフセットになる可能性がある。ＵＥは、どれだけの数のセルがＭＢＳＦＮ送信に参加するかを認識することができない。同様に、ＵＥは、いずれのセルがいずれのＭＢＳＦＮエリア内にあるかを認識することができはない。この単純化された構成では、ＰＭＣＨ性能の喪失が生じることがある。
【００５０】
複数のトラッキングループがＵＥによって採用されているときでも、ＵＥは、概して、タイミングオフセット及び周波数オフセットの推定のためにユニキャスト信号に関してＣＲＳ／ＣＳＩ−ＲＳ／ＵＥ−ＲＳ処理を行う必要がある。タイミングオフセット及び周波数オフセットのフィルタリング（例えば、平滑化、平均化、等）は、ユニキャストサブフレームに限定する必要があることがある。ＵＥは、ＰＭＣＨ復号のためのＰＭＣＨ  ＲＳ処理を行う必要があることがある。ＰＭＣＨ  ＲＳに基づくタイミングオフセット及び周波数オフセットの推定は、同様に行うことができる。該動作は、受信機及び単純化された構成に関して必要になることがある。タイミングオフセット及び周波数オフセットのフィルタリングは、ＭＢＳＦＮエリアごとのマルチキャスト／ブロードキャストサブフレームに限定する必要があることがある。複数のＭＢＳＦＮエリアを用いた追加動作は、該フィルタリングを各ＭＢＳＦＮエリアに関して該当するマルチキャスト／ブロードキャストサブフレームに限定することができる。ＵＥは、復調のためにＲＳ処理を行う必要があるため、並列のトラッキングループを提供する機能は、複雑さをそれほど増さないことができる。
【００５１】
図８は、各タイプの受信された信号に関するＴＴＬ及びＦＴＬを例示したフローチャート８００である。上述されるように、１つの典型的な方法では、ＵＥは、ユニキャスト信号と関連付けられた第１の組のトラッキングループ及びマルチキャスト／ブロードキャスト信号と関連付けられた第２の組のトラッキングループを維持することができる。ＵＥは、ユニキャスト信号に関してステップ８０２、８０４、８０６を実施することによって第１の組のトラッキングループを維持し、マルチキャスト／ブロードキャスト信号に関してステップ８０２、８０４、８０６を実施することによって第２の組のトラッキングループを維持する。例えば、第１の組のトラッキングループは、１つ以上のタイプのユニキャスト信号に関する第１のＴＴＬ及びＦＴＬと、１つ以上のタイプのマルチキャスト／ブロードキャスト信号に関する第２のＴＴＬ及びＦＴＬと、を含むことができる。ＵＥは、受信されたプライマリ同期信号（ＰＳＳ）及び／又はセカンダリ同期信号（ＳＳＳ）に基づいて最初のユニキャストＤＬタイミングＴ０及び最初のユニキャストサンプリング周波数Ｆ０を決定する。第１のＴＴＬ及び第１のＦＴＬでは、ＵＥは、ユニキャストＤＬタイミングＴ０及びユニキャストサンプリング周波数Ｆ０に基づいてユニキャスト時間領域サンプルを取り出し、取り出されたサンプルを復号する（８０２）。ＵＥは、復号された取り出されたサンプルからタイミングオフセットΔｔ及び周波数オフセットΔｆを推定する（８０４）。ＵＥは、推定されたタイミングオフセットΔｔ及び周波数オフセットΔｆに基づいて受信された信号に関するチャネル推定を行う（８０５）。第１のＴＴＬでは、ＵＥは、タイミングオフセットΔｔに基づいてユニキャストＤＬタイミングＴ０を調整する（８０６）。第１のＦＴＬでは、ＵＥは、周波数オフセットΔｆに基づいてユニキャストサンプリング周波数Ｆ０を調整する（８０６）。
【００５２】
第２のＴＴＬ及び第２のＦＴＬでは、ＵＥは、マルチキャスト／ブロードキャストＤＬタイミングＴ０及びマルチキャスト／ブロードキャストサンプリング周波数Ｆ０に基づいてマルチキャスト／ブロードキャスト時間領域を取り出し、取り出されたサンプルを復号する（８０２）。ＵＥは、復号された取り出されたサンプルからタイミングオフセットΔｔ及び周波数オフセットΔｆを推定する（８０４）。ＵＥは、推定されたタイミングオフセットΔｔ及び周波数オフセットΔｆに基づいて受信された信号に関するチャネル推定を行う。第２のＴＴＬでは、ＵＥは、タイミングオフセットΔｔに基づいてマルチキャスト／ブロードキャストＤＬタイミングＴ０を調整する。第２のＦＴＬでは、ＵＥは、周波数オフセットΔｆに基づいてマルチキャストサンプリング周波数Ｆ０を調整する（８０６）。調整されたＤＬタイミングＴ０及び調整されたサンプリング周波数Ｆ０は、将来のサブフレームのために使用され、他方、推定されたタイミングオフセットΔｔ及び周波数オフセットΔｆは、チャネル推定のために現在のサブフレーム内で使用される。
【００５３】
図９は、複数のタイプの受信された信号に関する１つのＴＴＬ及び１つのＦＴＬを例示した第１のフローチャート９００である。他の典型的な方法では、ＵＥは、受信されたユニキャスト信号のみに基づいてユニキャスト信号と関連付けられたＴＴＬ及びＦＴＬを維持する。さらに、ＵＥは、マルチキャスト／ブロードキャスト信号を受信し、受信されたユニキャスト信号のみに基づいて維持されるＴＴＬ及びＦＴＬに基づいて受信されたマルチキャスト／ブロードキャストを復号する。さらに、ＵＥは、受信されたマルチキャスト／ブロードキャスト信号に基づいて時間及び周波数オフセットの推定を行うのを控える。従って、ＵＥは、受信されたユニキャスト信号のみに基づいてＴＴＬ及びＦＴＬを更新し、ユニキャスト及びマルチキャスト／ブロードキャストの両方の信号を復号するためにＴＴＬ及びＦＴＬを使用するが、受信されたマルチキャスト／ブロードキャスト信号に基づいて時間オフセット及び周波数オフセットを決定しない。図９を参照し、ＵＥは、受信されたＰＳＳ及び／又はＳＳＳに基づいて最初のユニキャストＤＬタイミングＴ０及び最初のユニキャストサンプリング周波数Ｆ０を決定する。ＴＴＬ及びＦＴＬにおいて、ＵＥは、ユニキャストタイミングＴ０及びユニキャストサンプリング周波数Ｆ０に基づいてユニキャスト時間領域サンプルを取り出し、取り出されたサンプルを復号する（９０２）。ＵＥは、復号された取り出されたサンプルからユニキャストタイミングオフセットΔｔ及びユニキャスト周波数オフセットΔｆを推定する（９０４）。ＵＥは、推定されたユニキャストタイミングオフセットΔｔ及びユニキャスト周波数オフセットΔｆに基づいて受信された信号に関するチャネル推定を行う（９０５）。ＴＴＬにおいて、ＵＥは、ユニキャストタイミングオフセットΔｔに基づいてユニキャストＤＬタイミングＴ０を調整する（９０６）。ＦＴＬにおいて、ＵＥは、ユニキャスト周波数オフセットΔｆに基づいてユニキャストサンプリング周波数Ｆ０を調整する（９０６）。調整されたＤＬタイミングＴ０及び調整されたサンプリング周波数Ｆ０は、将来のサブフレームのために使用され、他方、推定されたユニキャストタイミングオフセットΔｔ及び推定された周波数オフセットΔｆは、チャネル推定のために現在のサブフレームで使用される。
【００５４】
ＵＥがマルチキャスト／ブロードキャスト信号を受信したときには、ＵＥは、ユニキャストＤＬタイミングＴ０及びユニキャストサンプリング周波数Ｆ０に基づいてマルチキャスト／ブロードキャスト時間領域サンプルを取り出し、取り出されたサンプルを復号する（９０８）。ＵＥは、受信されたマルチキャスト／ブロードキャスト信号に基づいて時間及び周波数オフセットの推定を実施するのを控え（９１０）、従って、受信されたマルチキャスト／ブロードキャスト信号に関するマルチキャスト／ブロードキャストタイミングオフセットΔｔ又はマルチキャスト／ブロードキャスト周波数オフセットΔｆは推定しない。従って、ＵＥは、以前に推定されたユニキャストタイミングオフセットΔｔ及びユニキャスト周波数オフセットΔｆが存在しないかぎり、マルチキャスト／ブロードキャストタイミングオフセットΔｔ及びマルチキャスト／ブロードキャスト周波数オフセットΔｆは一定（例えば、ゼロ）であると仮定して受信されたマルチキャスト／ブロードキャスト信号に関するチャネル推定を行う（９０５）。以前推定されたユニキャストタイミングオフセットΔｔ及びユニキャスト周波数オフセットΔｆが存在する場合は、ＵＥは、以前に推定されたユニキャストタイミングオフセットΔｔ及びユニキャスト周波数オフセットΔｆに基づいて受信されたマルチキャスト／ブロードキャスト信号に関するチャネル推定を行う（９０５）。ＵＥはマルチキャスト／ブロードキャストタイミングオフセットΔｔ及びマルチキャスト／ブロードキャスト周波数オフセットΔｆを推定しないため、ＵＥは、受信されたマルチキャスト／ブロードキャスト信号に基づいてユニキャストＴＴＬ又はユニキャストＦＴＬを更新しない。以前に推定されたユニキャストタイミングオフセットΔｔ及びユニキャスト周波数オフセットΔｆの使用に起因して受信されたマルチキャスト／ブロードキャスト信号のチャネル推定中にある程度の性能喪失が生じる。
【００５５】
図１０は、複数のタイプの受信された信号に関する１つのＴＴＬ及び１つのＦＴＬを例示した第２のフローチャート９５０である。他の典型的な方法では、ＵＥは、受信されたユニキャスト信号のみに基づいてユニキャスト信号と関連付けられたＴＴＬ及びＦＴＬを維持する。さらに、ＵＥは、マルチキャスト／ブロードキャスト信号を受信し、受信されたユニキャスト信号のみに基づいて維持されるＴＴＬ及びＦＴＬに基づいて受信されたマルチキャスト／ブロードキャストを復号する。さらに、ＵＥは、受信されたマルチキャスト／ブロードキャスト信号に基づいて時間及び周波数オフセットの推定を行う一方で、ＵＥは、推定された時間及び周波数オフセットに基づいてＴＴＬ及びＦＴＬを更新するのを控える。従って、ＵＥは、受信されたユニキャスト信号のみに基づいてＴＴＬ及びＦＴＬを更新し、ユニキャスト及びマルチキャスト／ブロードキャストの両方の信号を復号するためにＴＴＬ及びＦＴＬを使用し、受信されたマルチキャスト／ブロードキャスト信号に基づいて時間オフセット及び周波数オフセットの推定を行うが、推定された時間及び周波数オフセットに基づいてＦＴＬ及びＴＴＬを更新しない。図１０を参照し、ＵＥは、受信されたＰＳＳ及び／又はＳＳＳに基づいて最初のユニキャストＤＬタイミングＴ０及び最初のユニキャストサンプリング周波数Ｆ０を決定する。ＴＴＬ及びＦＴＬにおいて、ＵＥは、ユニキャストＤＬタイミングＴ０及びユニキャストサンプリング周波数Ｆ０に基づいてユニキャスト時間領域サンプルを取り出し、取り出されたサンプルを復号する（９５２）。ＵＥは、復号された取り出されたサンプルからユニキャストタイミングオフセットΔｔ及びユニキャスト周波数オフセットΔｆを推定する（９５４）。ＵＥは、推定されたユニキャストタイミングオフセットΔｔ及びユニキャスト周波数オフセットΔｆに基づいて受信された信号に関するチャネル推定を行う（９５５）。ＴＴＬにおいて、ＵＥは、ユニキャストタイミングオフセットΔｔに基づいてユニキャストＤＬタイミングＴ０を調整する（９５６）。ＦＴＬにおいて、ＵＥは、ユニキャスト周波数オフセットΔｆに基づいてユニキャストサンプリング周波数Ｆ０を調整する（９５６）。調整されたＤＬタイミングＴ０及び調整されたサンプリング周波数Ｆ０は、将来のサブフレームのために使用され、他方、推定されたユニキャストタイミングオフセットΔｔ及び推定された周波数オフセットΔｆは、チャネル推定のために現在のサブフレームで使用される。
【００５６】
ＵＥがマルチキャスト／ブロードキャスト信号を受信したときには、ＵＥは、ユニキャストＤＬタイミングＴ０及びユニキャストサンプリング周波数Ｆ０に基づいてマルチキャスト／ブロードキャスト時間領域サンプルを取り出し、取り出されたサンプルを復号する（９５８）。ＵＥは、受信されたマルチキャスト／ブロードキャスト信号に基づいて時間及び周波数オフセットの推定を実施する（９６０）が、推定されたマルチキャスト／ブロードキャスト時間オフセットΔｔ及びマルチキャスト／ブロードキャスト周波数オフセットΔｆに基づいてユニキャストＤＬフィルタリングＴ０及びユニキャストサンプリング周波数Ｆ０を調整するのを控える（９６０）。従って、ＵＥは、推定されたマルチキャスト／ブロードキャスト時間オフセットΔｔ及びマルチキャスト／ブロードキャスト周波数オフセットΔｆに基づいて受信されたマルチキャスト／ブロードキャスト信号に関するチャネル推定を行い（９６５）、従って、図９に関して上述される性能喪失を回避する。しかしながら、ＵＥは、推定されたマルチキャスト／ブロードキャスト時間及び周波数オフセットに基づいてユニキャストＴＴＬ又はユニキャストＦＴＬを更新しない。
【００５７】
図１１は、各ＭＢＳＦＮエリアからのユニキャスト信号及びマルチキャスト／ブロードキャスト信号に関する複数のＴＴＬの結果としての異なるＤＬタイミングを例示した図１０００である。図１１に示されるように、ユニキャスト信号に関するＤＬタイミング１０１０、ＭＢＳＦＮエリアｉからのマルチキャスト／ブロードキャスト信号に関するＤＬタイミング１０２０、及びＭＢＳＦＮエリアｊからのマルチキャスト／ブロードキャストに関するＤＬタイミング１０３０は異なり、各々が異なる開始点を有する。それらの異なる開始点は、平行ＴＴＬの結果であり、それらの各々は、それの各々のＤＬタイミングＴ０を対応する信号に基づいて更新するのを可能にする。ＤＬタイミング開始点を適切に選択することによって、それほど多くの雑音を捕捉することなしにユニキャスト及びマルチキャスト／ブロードキャスト信号を捕捉することができる。
【００５８】
図１２は、無線通信方法のフローチャート１１００である。その方法は、ＵＥによって実施することができる。図１２に示されるように、ＵＥは、ユニキャスト信号と関連付けられた第１の組のトラッキングループを維持する（１１０２）。さらに、ＵＥは、マルチキャスト／ブロードキャスト信号と関連付けられた第２の組のトラッキングループを維持する（１１０４）。さらに、ＵＥは、第１の組のトラッキングループに基づく受信されたユニキャスト信号又は第２の組のトラッキングループに基づく受信されたマルチキャスト／ブロードキャスト信号のうちの１つを復号する（１１０６）。例えば、ＵＥは、第１の組のトラッキングループにおいて決定されたＤＬタイミングＴ０及びユニキャストサンプリング周波数Ｆ０に基づいて受信されたユニキャスト信号を復号することができ及び／又はＵＥは、第２の組のトラッキングループにおいて決定されたＤＬタイミングＴ０及びマルチキャスト／ブロードキャストサンプリング周波数Ｆ０に基づいて受信されたマルチキャスト／ブロードキャスト信号を復号することができる。
【００５９】
一構成では、第１の組のトラッキングループは、ユニキャスト信号が受信される各搬送波に関するＴＴＬとＦＴＬとを含む。一構成では、第２の組のトラッキングループは、マルチキャスト／ブロードキャスト信号が受信される各搬送波に関するＴＴＬとＦＴＬとを含む。一構成では、受信されたマルチキャスト／ブロードキャスト信号は、複数のＭＢＳＦＮエリアから受信され、第２の組のトラッキングループは、ＭＢＳＦＮエリアの各々に関するＴＴＬとＦＴＬとを含む。該構成では、ＵＥは、ＭＢＳＦＮエリアからのマルチキャスト／ブロードキャスト信号内のＭＢＳＦＮ基準信号に基づいて各ＭＢＳＦＮエリアに関するＴＴＬ及びＦＴＬを維持することができる。
【００６０】
一構成では、第１の組のトラッキングループは、一組のセルから受信されたユニキャスト信号に基づいて維持され、第１の組のトラッキングループは、ＤＬタイミングに関する少なくとも１つのセルから受信されたユニキャスト信号のタイミングオフセットを追跡するための少なくとも１つのＴＴＬと、ユニキャスト信号が受信される搬送波周波数に関する少なくとも１つのセルから受信されたユニキャスト信号の周波数オフセットを追跡するための少なくとも１つのＦＴＬと、を含む。該構成では、少なくとも１つのセルが複数のセルを含むときには、タイミングオフセットは、複数のセルのうちの各セルから受信されたユニキャスト信号の複合的なタイミングオフセットであり、周波数オフセットは、複数のセルのうちの各セルから受信されたユニキャスト信号の複合的な周波数オフセットである。複合的オフセットは、複数のオフセットの平均、複数のオフセットの何らかの組み合わせ、複合信号の推定、又は何らかのその他の複合オフセット決定手段に基づくことができる。
【００６１】
一構成では、第２の組のトラッキングループは、少なくとも１つのセルから受信されたマルチキャスト／ブロードキャスト信号に基づいて維持され、第２の組のトラッキングループは、ＤＬタイミングに関する少なくとも１つのセルから受信されたマルチキャスト／ブロードキャスト信号のタイミングオフセットを追跡するための少なくとも１つのＴＴＬと、マルチキャスト／ブロードキャストが受信される搬送波周波数に関する少なくとも１つのセルから受信されたマルチキャスト／ブロードキャスト信号の周波数オフセットを追跡するための少なくとも１つのＦＴＬと、を含む。該構成では、少なくとも１つのセルが複数のセルを含むときには、タイミングオフセットは、複数のセルのうちの各セルから受信されたマルチキャスト／ブロードキャスト信号の複合的なタイミングオフセットであり、周波数オフセットは、複数のセルのうちの各セルから受信されたマルチキャスト／ブロードキャスト信号の複合的な周波数オフセットである。複合的オフセットは、複数のオフセットの平均、複数のオフセットの何らかの組み合わせ、複合信号の推定、又は何らかのその他の複合オフセット決定手段に基づくことができる。
【００６２】
図１３は、追加の無線通信方法のフローチャート１２００、１２５０を示す。一構成では、第１の組のトラッキングループは、ＴＴＬとＦＴＬとを含む。該構成では、ＵＥは、ユニキャスト信号を受信するためのＤＬタイミングを決定し、受信されたユニキャスト信号に関するＤＬタイミングに関するタイミングオフセットを決定し、及びタイミングオフセットに基づいてＤＬタイミングを調整することによってＴＴＬを維持する（１２０２）。さらに、該構成では、ＵＥは、ユニキャスト信号を受信するための搬送波周波数を決定し、受信されたユニキャスト信号に関する搬送波周波数に関する周波数オフセットを決定し、及び周波数オフセットに基づいてサンプリング周波数を調整することによってＦＴＬを維持する（１２０４）。一構成では、タイミングオフセット及び周波数オフセットは、受信されたユニキャスト信号内のＣＲＳ、ＣＳＩ−ＲＳ、又はＵＥ−ＲＳのうちの少なくとも１つに基づいて決定される。
【００６３】
一構成では、第２の組のトラッキングループは、ＴＴＬとＦＴＬとを含む。該構成では、ＵＥは、マルチキャスト／ブロードキャスト信号を受信するためのＤＬタイミングを決定し、受信されたマルチキャスト／ブロードキャスト信号に関するＤＬタイミングに関するタイミングオフセットを決定し、及びタイミングオフセットに基づいてＤＬタイミングを調整することによってＴＴＬを維持する（１２５２）。さらに、該構成では、ＵＥは、マルチキャスト／ブロードキャスト信号を受信するための搬送波周波数を決定し、受信されたマルチキャスト／ブロードキャスト信号に関する搬送波周波数に関する周波数オフセットを決定し、及び周波数オフセットに基づいてサンプリング周波数を調整することによってＦＴＬを維持する（１２５４）。一構成では、タイミングオフセット及び周波数オフセットは、受信されたマルチキャスト／ブロードキャスト信号内のＭＢＳＦＮ基準信号に基づいて決定される。一構成では、受信されたマルチキャスト／ブロードキャスト信号は、複数のＭＢＳＦＮエリアから受信され、タイミングオフセットは、ＭＢＳＦＮエリアの各々からの受信されたマルチキャスト／ブロードキャスト信号の複合的なタイミングオフセットであり、周波数オフセットは、ＭＢＳＦＮエリアの各々からの受信されたマルチキャスト／ブロードキャスト信号の複合的な周波数オフセットである。
【００６４】
図１４は、他の無線通信方法のフローチャート１３００である。一構成では、ユニキャスト信号は、ユニキャスト制御情報とユニキャストデータとを含み、第１の組のトラッキングループは、ＴＴＬとＦＴＬとを含む。該構成では、ＵＥは、ユニキャスト制御情報およびユニキャストデータの両方に関してＴＴＬ及びＦＴＬを維持する。ユニキャスト制御情報は、ＭＢＳＦＮサブフレーム及び非ＭＢＳＦＮサブフレームの両方において受信することができる。ＵＥは、ユニキャスト信号内のＣＲＳ、ＣＳＩ−ＲＳ、又はＵＥ−ＲＳのうちの少なくとも１つに基づいてＴＴＬ及びＦＴＬを維持することができる。代替として、一構成では、ユニキャスト信号は、ユニキャスト制御情報とユニキャストデータとを含み、第１の組のトラッキングループは、第１のＴＴＬと、第１のＦＴＬと、第２のＴＴＬと、第２のＦＴＬと、を含む。図１４に示されるように、該構成では、ＵＥは、ユニキャスト制御情報に関して第１のＴＴＬ及び第１のＦＴＬを維持し（１３０２）、ユニキャストデータに関して第２のＴＴＬ及び第２のＦＴＬを維持する（１３０４）。一構成では、第１のＴＴＬ及び第１のＦＴＬは、ユニキャスト制御情報内のＣＲＳ又はＣＳＩ−ＲＳのうちの少なくとも１つに基づいて維持され、第２のＴＴＬ及び第２のＦＴＬは、ユニキャストデータ内のＵＥ−ＲＳに基づいて維持される。
【００６５】
図１５は、第１のＴＴＬ及び第１のＦＴＬがユニキャスト信号に関して維持され、第２のＴＴＬ及び第２のＦＴＬがマルチキャスト／ブロードキャスト信号に関して維持される無線通信方法のフローチャート１４００である。その方法は、ＵＥによって実施することができる。一構成では、第１の組のトラッキングループは、第１のＴＴＬと第１のＦＴＬとを含み、第２の組のトラッキングループは、第２のＴＴＬと第２のＦＴＬとを含む。該構成では、ＵＥは、ユニキャスト信号を受信するための第１のＤＬタイミング及び第１の搬送波周波数、及びマルチキャスト／ブロードキャスト信号を受信するための第２のＤＬタイミング及び第２の搬送波周波数を決定する（１４０２）。さらに、ＵＥは、ユニキャスト信号を受信するための第１のＤＬタイミングに関する第１のタイミングオフセット、ユニキャスト信号を受信するための第１の搬送波周波数に関する第１の周波数オフセット、マルチキャスト／ブロードキャスト信号を受信するための第２のＤＬタイミングに関する第２のタイミングオフセット、及びマルチキャスト／ブロードキャスト信号を受信するための第２の搬送波周波数に関する第２の周波数オフセットを決定する（１４０４）。さらに、ＵＥは、第１のタイミングオフセット及び第１の周波数オフセットに基づく受信されたユニキャスト信号および第２のタイミングオフセット及び第２の周波数オフセットに基づく受信されたマルチキャスト／ブロードキャスト信号のうちの少なくとも１つを復号する（１４０６）。さらに、ＵＥは、第１のＴＴＬ内の第１のＤＬタイミングを調整し、第１のＦＴＬ内の第１のサンプリング周波数を調整し、第２のＴＴＬ内の第２のＤＬタイミングを調整し、及び第２のＦＴＬ内の第２のサンプリング周波数を調整することによって、第１のＤＬタイミング、第１のサンプリング周波数、第２のＤＬタイミング、及び第２のサンプリング周波数を調整する（１４０８）。
【００６６】
図１６は、第２の無線通信方法のフローチャート１５００である。その方法は、ＵＥによって実施することができる。図１６に示されるように、ＵＥは、受信されたユニキャスト信号のみに基づいてユニキャスト信号と関連付けられたＴＴＬ及びＦＴＬを維持する（１５０２）。さらに、ＵＥは、マルチキャスト／ブロードキャスト信号を受信する（１５０４）。さらに、ＵＥは、受信されたユニキャスト信号のみに基づいて維持されるＴＴＬ及びＦＴＬに基づいて受信されたマルチキャスト／ブロードキャスト信号を復号する（１５０６）。ＵＥは、受信されたマルチキャスト／ブロードキャスト信号に基づいてＴＴＬ及びＦＴＬを更新するのを控える一方で、ＵＥは、受信されたマルチキャスト／ブロードキャスト信号に基づいて時間及び周波数オフセットの推定を依然として行うことができる（図９と反対の図１０を参照）。一構成では、ＵＥは、ユニキャスト信号を受信するためのダウンリンクタイミングを決定し、受信されたユニキャスト信号に関するダウンリンクタイミングに関するタイミングオフセットを決定し、及びタイミングオフセットに基づいてダウンリンクタイミングを調整することによってＴＴＬを維持することができる。さらに、ＵＥは、ユニキャスト信号を受信するための搬送波周波数を決定し、受信されたユニキャスト信号に関する搬送波周波数に関する周波数オフセットを決定し、及び周波数オフセットに基づいてサンプリング周波数を調整することによってＦＴＬを維持することができる。一構成では、タイミングオフセット及び周波数オフセットは、受信されたユニキャスト信号内のＣＲＳ、ＣＳＩ−ＲＳ、又はＵＥ−ＲＳのうちの少なくとも１つに基づいて決定することができる。
【００６７】
図１７は、典型的な装置１００’の機能を例示した概念的ブロック図１６００である。第１の構成では、装置１００’は、ユニキャスト信号およびマルチキャスト／ブロードキャスト信号を受信する受信モジュール１６０２を含む。受信された信号は、ユニキャスト信号と関連付けられた第１の組のトラッキングループを維持し及びマルチキャスト／ブロードキャスト信号と関連付けられた第２の組のトラッキングループを維持するトラッキングループモジュール１６０４に提供される。トラッキングループモジュール１６０４は、複数のタイミングオフセット及び周波数オフセットを決定し、及び、１つ以上のＤＬタイミング値及び１つ以上のサンプリング周波数値を調整する。更新された１つ以上のＤＬタイミング値及び１つ以上のサンプリング周波数値が受信モジュール１６０２に提供され、それは、受信されたユニキャスト及びマルチキャスト／ブロードキャスト信号のＦＦＴウィンドウ及び中心周波数を調整する。受信された信号および決定されたタイミングオフセット及び周波数オフセットは、復号モジュール１６０６に提供され、それは、第１の組のトラッキングループに基づく受信されたユニキャスト信号又は第２の組のトラッキングループに基づく受信されたマルチキャスト／ブロードキャスト信号のうちの少なくとも１つを復号する。
【００６８】
第２の構成では、装置１００’は、ユニキャスト信号およびマルチキャスト／ブロードキャスト信号を受信する受信モジュール１６０２を含む。受信された信号は、ユニキャスト信号と関連付けられたＴＴＬ及びＦＴＬを維持し、受信されたユニキャスト信号のみに基づいてＴＴＬ及びＦＴＬを更新するトラッキングループモジュール１６０４に提供される。装置は、受信されたユニキャスト信号のみに基づいて維持／更新されるＴＴＬ及びＦＴＬに基づいて受信されたマルチキャスト／ブロードキャスト信号を復号するように構成される復号モジュール１６０６をさらに含む。
【００６９】
装置１００’は、上記のフローチャート図１２乃至１６内のアルゴリズムのステップの各々を実施する追加モジュールを含むことができる。従って、上記のフローチャート図１２乃至１６内の各ステップは、モジュールによって実施することができ、装置１００’は、それらのモジュールのうちの１つ以上を含むことができる。これらのモジュールは、処理システム１１４、又は、これらのモジュールの各々と関連付けられた機能を実施するように構成された同じ又は異なるプログラミング可能な又は専用のハードウェアであることができる。
【００７０】
一構成では、無線通信のための装置１００及び／又は１００’は、ユニキャスト信号と関連付けられた第１の組のトラッキングループを維持するための手段と、マルチキャスト／ブロードキャスト信号と関連付けられた第２の組のトラッキングループを維持するための手段と、第１の組のトラッキングループに基づく受信されたユニキャスト信号又は第２の組のトラッキングループに基づく受信されたマルチキャスト／ブロードキャスト信号のうちの少なくとも１つを復号するための手段と、を含む。一構成では、第１の組のトラッキングループは、ＴＴＬと、ＦＴＬと、を含み、装置は、ユニキャスト信号を受信するためのＤＬタイミングを決定することによってＴＴＬを維持するための手段と、受信されたユニキャスト信号に関するＤＬタイミングに関するタイミングオフセットを決定するための手段と、タイミングオフセットに基づいてＤＬタイミングを調整するための手段と、をさらに含む。さらに、該構成では、装置は、ユニキャスト信号を受信するための搬送波周波数を決定することによってＦＴＬを維持するための手段と、受信されたユニキャスト信号に関する搬送波周波数に関する周波数オフセットを決定するための手段と、周波数オフセットに基づいてサンプリング周波数を調整するための手段と、を含む。
【００７１】
一構成では、第２の組のトラッキングループは、ＴＴＬと、ＦＴＬと、を含み、装置は、マルチキャスト／ブロードキャスト信号を受信するためのＤＬタイミングを決定することによってＴＴＬを維持するための手段と、受信されたマルチキャスト／ブロードキャスト信号に関するＤＬタイミングに関するタイミングオフセットを決定するための手段と、タイミングオフセットに基づいてＤＬタイミングを調整するための手段と、をさらに含む。さらに、装置は、マルチキャスト／ブロードキャスト信号を受信するための搬送波周波数を決定することによってＦＴＬを維持するための手段と、受信されたマルチキャスト／ブロードキャスト信号に関する搬送波周波数に関する周波数オフセットを決定するための手段と、周波数オフセットに基づいてサンプリング周波数を調整するための手段と、を含む。
【００７２】
一構成では、装置は、ＭＢＳＦＮエリアからのマルチキャスト／ブロードキャスト信号内のＭＢＳＦＮ基準信号に基づいて各ＭＢＳＦＮエリアに関するＴＴＬ及びＦＴＬを維持するための手段をさらに含む。一構成では、ユニキャスト信号は、ユニキャスト制御情報と、ユニキャストデータと、を含み、第１の組のトラッキングループは、ＴＴＬと、ＦＴＬと、を含み、装置は、ユニキャスト制御情報およびユニキャストデータの両方に関してＴＴＬ及びＦＴＬを維持するための手段をさらに含む。一構成では、ユニキャスト信号は、ユニキャスト制御情報と、ユニキャストデータと、を含み、第１の組のトラッキングループは、第１のＴＴＬと、第１のＦＴＬと、第２のＴＴＬと、第２のＦＴＬと、を含み、装置は、ユニキャスト制御情報に関して第１のＴＴＬ及び第１のＦＴＬを維持するための手段と、ユニキャストデータに関して第２のＴＴＬ及び第２のＦＴＬを維持するための手段と、をさらに含む。
【００７３】
一構成では、第１の組のトラッキングループは、第１のＴＴＬと第１のＦＴＬとを含み、第２の組のトラッキングループは、第２のＴＴＬと第２のＦＴＬとを含み、装置は、ユニキャスト信号を受信するための第１のＤＬタイミング及び第１の搬送波周波数及びマルチキャスト／ブロードキャスト信号を受信するための第２のＤＬタイミング及び第２の搬送波周波数を決定するための手段をさらに含む。さらに、装置は、ユニキャスト信号を受信するための第１のＤＬタイミングに関する第１のタイミングオフセット、ユニキャスト信号を受信するための第１の搬送波周波数に関する第１の周波数オフセット、マルチキャスト／ブロードキャスト信号を受信するための第２のＤＬタイミングに関する第２のタイミングオフセット、及びマルチキャスト／ブロードキャスト信号を受信するための第２の搬送波周波数に関する第２の周波数オフセットを決定するための手段を含む。さらに、装置は、第１のタイミングオフセット及び第１の周波数オフセットに基づく受信されたユニキャスト信号又は第２のタイミングオフセット及び第２の周波数オフセットに基づく受信されたマルチキャスト／ブロードキャスト信号のうちの少なくとも１つを復号するための手段を含む。さらに、装置は、第１のＴＴＬ内の第１のＤＬタイミングを調整し、第１のＦＴＬ内の第１のサンプリング周波数を調整し、第２のＴＴＬ内の第２のＤＬタイミングを調整し、及び第２のＦＴＬ内の第２のサンプリング周波数を調整することによって第１のＤＬタイミング、第１のサンプリング周波数、第２のＤＬタイミング、及び第２のサンプリング周波数を調整するための手段を含む。
【００７４】
図１２乃至１５の上記のアルゴリズムのステップのうちのいずれによっても追加の手段を実施することができる。上記のアルゴリズムを実施することができ、上記の手段は、上記の手段による機能を果たすように構成された図１７の装置１００’の上記のモジュールのうちの１つ以上及び／又は図１の処理システム１１４であることができる。上述されるように、処理システム１１４は、ＴＸプロセッサ７６８と、ＲＸプロセッサ７５６と、コントローラ／プロセッサ７５９と、を含む。従って、一構成では、上記の手段は、上記の手段による機能を果たすように構成されたＴＸプロセッサ７６８、ＲＸプロセッサ７５６、及びコントローラ／プロセッサ７５９であることができる。
【００７５】
一構成では、無線通信のための装置１００及び／又は１００’は、受信されたユニキャスト信号のみに基づいてユニキャスト信号と関連付けられたＴＴＬ及びＦＴＬを維持するための手段を含む。さらに、装置は、マルチキャスト／ブロードキャスト信号を受信するための手段と、受信されたユニキャスト信号のみに基づいて維持されるＴＴＬ及びＦＴＬに基づいて受信されたマルチキャスト／ブロードキャスト信号を復号するための手段と、を含む。上記の手段は、上記の手段による機能を果たすように構成された図１７の装置１００’の上記のモジュールのうちの１つ以上及び／又は図１の処理システム１１４であることができる。上述されるように、処理システム１１４は、ＴＸプロセッサ７６８と、ＲＸプロセッサ７５６と、コントローラ／プロセッサ７５９と、を含む。従って、一構成では、上記の手段は、上記の手段による機能を果たすように構成されたＴＸプロセッサ７６８、ＲＸプロセッサ７５６、及びコントローラ／プロセッサ７５９であることができる。
【００７６】
開示されるプロセスにおけるステップの特定の順序又は階層は、典型的な手法の一例であることが理解される。設計上の選好に基づき、プロセスにおけるステップの特定の順序又は階層は、再編することができることが理解される。添付された方法請求項は、様々なステップの要素を見本の順序で提示するものであり、提示された特定の順序又は階層に限定されることは意味されない。
【００７７】
前の説明は、当業者がここにおいて説明される様々な態様を実践するのを可能にすることを目的として提供される。これらの態様に対する様々な変更は、当業者にとって容易に明確になるであろう、及びここにおいて定められる一般原理は、その他の態様に対して適用可能である。このように、請求項は、ここにおいて示される態様に限定されることは意図されず、請求項の文言に一致する最大限の適用範囲が認められるべきであり、単数形の要素への言及は、その旨特記されないかぎり“１つ及び１つのみ”を意味することは意図されず、むしろ“１つ以上”を意味することが意図される。別の特記がない限り、用語“幾つかの”は、１つ以上を意味する。当業者にとって既知であるか又は今後に知られることになる、本開示全体を通じて説明される様々な態様の要素のすべての構造上及び機能上の同等物は、引用によって明示でここにおいて組み入れられており、請求項によって包含されることが意図される。さらに、ここにおいて開示される何物も、該開示が請求項において明示されるかどうかにかかわらず公衆に開放されることは意図されない。いずれの請求項要素も、その要素が句“のための手段”を用いて明示されない限り手段プラス機能（ｍｅａｎｓ−ｐｌｕｓ−ｆｕｎｃｔｉｏｎ）であるとは解釈されるべきでない。
以下に、本願出願の当初の特許請求の範囲に記載された発明を付記する。
［Ｃ１］
無線通信方法であって、
ユニキャスト信号と関連付けられた第１の組のトラッキングループを維持することと、
マルチキャスト／ブロードキャスト信号と関連付けられた第２の組のトラッキングループを維持することと、
前記第１の組のトラッキングループに基づく受信されたユニキャスト信号又は前記第２の組のトラッキングループに基づく受信されたマルチキャスト／ブロードキャスト信号のうちの少なくとも１つを復号することと、を備える、無線通信方法。
［Ｃ２］
前記第１の組のトラッキングループは、時間トラッキングループ（ＴＴＬ）と、周波数トラッキングループ（ＦＴＬ）と、を備え、前記方法は、
前記ユニキャスト信号を受信するためのダウンリンクタイミングを決定し、前記受信されたユニキャスト信号に関する前記ダウンリンクタイミングに関するタイミングオフセットを決定し、及び前記タイミングオフセットに基づいて前記ダウンリンクタイミングを調整することによって前記ＴＴＬを維持することと、
前記ユニキャスト信号を受信するための搬送波周波数を決定し、前記受信されたユニキャスト信号に関する前記搬送波周波数に関する周波数オフセットを決定し、及び前記周波数オフセットに基づいてサンプリング周波数を調整することによって前記ＦＴＬを維持することと、をさらに備えるＣ１に記載の方法。
［Ｃ３］
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づいて決定されるＣ２に記載の方法。
［Ｃ４］
前記第２の組のトラッキングループは、時間トラッキングループ（ＴＴＬ）と、周波数トラッキングループ（ＦＴＬ）と、を備え、前記方法は、
前記マルチキャスト／ブロードキャスト信号を受信するためのダウンリンクタイミングを決定し、前記受信されたマルチキャスト／ブロードキャスト信号に関する前記ダウンリンクタイミングに関するタイミングオフセットを決定し、及び前記タイミングオフセットに基づいて前記ダウンリンクタイミングを調整することによって前記ＴＴＬを維持することと、
前記マルチキャスト／ブロードキャスト信号を受信するための搬送波周波数を決定し、前記受信されたマルチキャスト／ブロードキャスト信号に関する搬送波周波数に関する周波数オフセットを決定し、及び前記周波数オフセットに基づいてサンプリング周波数を調整することによって前記ＦＴＬを維持することと、をさらに備えるＣ１に記載の方法。
［Ｃ５］
前記タイミングオフセット及び前記周波数オフセットは、前記受信されたマルチキャスト／ブロードキャスト信号内の単一周波数ネットワーク（ＭＢＳＦＮ）基準信号を通じてブロードキャストされるマルチメディアに基づいて決定されるＣ４に記載の方法。
［Ｃ６］
前記受信されたマルチキャスト／ブロードキャスト信号は、単一周波数ネットワーク（ＭＢＳＦＮ）エリアにわたってブロードキャストされる複数のマルチメディアから受信され、前記タイミングオフセットは、前記ＭＢＳＦＮエリアの各々からの前記受信されたマルチキャスト／ブロードキャスト信号の複合的なタイミングオフセットであり、前記周波数オフセットは、前記ＭＢＳＦＮエリアの各々からの前記受信されたマルチキャスト／ブロードキャスト信号の複合的な周波数オフセットであるＣ４に記載の方法。
［Ｃ７］
前記第１の組のトラッキングループは、前記ユニキャスト信号が受信される各搬送波に関する時間トラッキングループ（ＴＴＬ）と周波数トラッキングループ（ＦＴＬ）とを備えるＣ１に記載の方法。
［Ｃ８］
前記第２の組のトラッキングループは、前記マルチキャスト／ブロードキャスト信号が受信される各搬送波に関する時間トラッキングループ（ＴＴＬ）と周波数トラッキングループ（ＦＴＬ）とを備えるＣ１に記載の方法。
［Ｃ９］
前記受信されたマルチキャスト／ブロードキャスト信号は、単一周波数ネットワーク（ＭＢＳＦＮ）エリアにわたってブロードキャストされる複数のマルチメディアから受信され、前記第２の組のトラッキングループは、前記ＭＢＳＦＮエリアの各々に関する時間トラッキングループ（ＴＴＬ）と周波数トラッキングループ（ＦＴＬ）とを備えるＣ１に記載の方法。
［Ｃ１０］
前記方法は、各ＭＢＳＦＮエリアからのマルチキャスト／ブロードキャスト信号内のＭＢＳＦＮ基準信号に基づいて前記ＭＢＳＦＮエリアに関するＴＴＬ及びＦＴＬを維持することをさらに備えるＣ９に記載の方法。
［Ｃ１１］
前記ユニキャスト信号は、ユニキャスト制御情報とユニキャストデータとを備え、前記第１の組のトラッキングループは、時間トラッキングループ（ＴＴＬ）と周波数トラッキングループ（ＦＴＬ）とを備え、前記方法は、前記ユニキャスト制御情報および前記ユニキャストデータの両方に関して前記ＴＴＬ及び前記ＦＴＬを維持することをさらに備えるＣ１に記載の方法。
［Ｃ１２］
前記ユニキャスト制御情報は、ＭＢＳＦＮサブフレーム及び非ＭＢＳＦＮサブフレームの両方において受信されるＣ１１に記載の方法。
［Ｃ１３］
前記ユニキャスト信号は、ユニキャスト制御情報とユニキャストデータとを備え、前記第１の組のトラッキングループは、第１の時間トラッキングループ（ＴＴＬ）と、第１の周波数トラッキングループ（ＦＴＬ）と、第２のＴＴＬと、第２のＦＴＬと、を備え、前記方法は、
前記ユニキャスト制御情報に関して前記第１のＴＴＬ及び前記第１のＦＴＬを維持することと、
前記ユニキャストデータに関して前記第２のＴＴＬ及び前記第２のＦＴＬを維持することと、をさらに備えるＣ１に記載の方法。
［Ｃ１４］
前記第１のＴＴＬ及び前記第１のＦＴＬは、前記ユニキャスト制御情報内の各々のセルごとの基準信号（ＣＲＳ）又はチャネル状態情報基準信号（ＣＳＩ−ＲＳ）のうちの少なくとも１つに基づいて維持され、前記第２のＴＴＬ及び前記第２のＦＴＬは、前記ユニキャストデータ内の各々のユーザ装置ごとの基準信号（ＵＥ−ＲＳ）に基づいて維持されるＣ１３に記載の方法。
［Ｃ１５］
前記第１の組のトラッキングループは、一組のセルから受信された前記ユニキャスト信号に基づいて維持され、前記第１の組のトラッキングループは、
ダウンリンクタイミングに関する少なくとも１つのセルから受信されたユニキャスト信号のタイミングオフセットを追跡するための少なくとも１つの時間トラッキングループ（ＴＴＬ）と、
ユニキャスト信号が受信される搬送波周波数に関する少なくとも１つのセルから受信された前記ユニキャスト信号の周波数オフセットを追跡するための少なくとも１つの周波数トラッキングループ（ＦＴＬ）と、を備え、
前記少なくとも１つのセルが複数のセルを備えるときには、前記タイミングオフセットは、前記複数のセルのうちの各セルから受信された前記ユニキャスト信号の複合的なタイミングオフセットであり、前記周波数オフセットは、前記複数のセルのうちの各セルから受信された前記ユニキャスト信号の複合的な周波数オフセットであるＣ１に記載の方法。
［Ｃ１６］
前記第２の組のトラッキングループは、少なくとも１つのセルから受信された前記マルチキャスト／ブロードキャスト信号に基づいて維持され、前記第２の組のトラッキングループは、
ダウンリンクタイミングに関する前記少なくとも１つのセルから受信されたマルチキャスト／ブロードキャスト信号のタイミングオフセットを追跡するための少なくとも１つの時間トラッキングループ（ＴＴＬ）と、
前記マルチキャスト／ブロードキャスト信号が受信される搬送波周波数に関する前記少なくとも１つのセルから受信されたマルチキャスト／ブロードキャスト信号の周波数オフセットを追跡するための少なくとも１つの周波数トラッキングループ（ＦＴＬ）と、を備え、
前記少なくとも１つのセルが複数のセルを備えるときには、前記タイミングオフセットは、前記複数のセルのうちの各セルから受信された前記マルチキャスト／ブロードキャスト信号の複合的なタイミングオフセットであり、前記周波数オフセットは、前記複数のセルのうちの各セルから受信された前記マルチキャスト／ブロードキャスト信号の複合的な周波数オフセットであるＣ１に記載の方法。
［Ｃ１７］
前記第１の組のトラッキングループは、第１の時間トラッキングループ（ＴＴＬ）と第１の周波数トラッキングループ（ＦＴＬ）とを備え、前記第２の組のトラッキングループは、第２のＴＴＬと第２のＦＴＬとを備え、前記方法は、
ユニキャスト信号を受信するための第１のダウンリンクタイミング及び第１の搬送波周波数及びマルチキャスト／ブロードキャスト信号を受信するための第２のダウンリンクタイミング及び第２の搬送波周波数を決定することと、
前記ユニキャスト信号を受信するための前記第１のダウンリンクタイミングに関する第１のタイミングオフセット、前記ユニキャスト信号を受信するための前記第１の搬送波周波数に関する第１の周波数オフセット、前記マルチキャスト／ブロードキャスト信号を受信するための前記第２のダウンリンクタイミングに関する第２のタイミングオフセット、及び前記マルチキャスト／ブロードキャスト信号を受信するための前記第２の搬送波周波数に関する第２の周波数オフセットを決定することと、
前記第１のタイミングオフセット及び前記第１の周波数オフセットに基づく前記受信されたユニキャスト信号および前記第２のタイミングオフセット及び前記第２の周波数オフセットに基づく前記受信されたマルチキャスト／ブロードキャスト信号のうちの少なくとも１つを復号することと、
前記第１のＴＴＬ内の前記第１のダウンリンクタイミングを調整し、前記第１のＦＴＬ内の第１のサンプリング周波数を調整し、前記第２のＴＴＬ内の前記第２のダウンリンクタイミングを調整し、及び前記第２のＦＴＬ内の第２のサンプリング周波数を調整することによって前記第１のダウンリンクタイミング、前記第１のサンプリング周波数、前記第２のダウンリンクタイミング、及び前記第２のサンプリング周波数を調整することと、をさらに備えるＣ１に記載の方法。
［Ｃ１８］
無線通信方法であって、
受信されたユニキャスト信号のみに基づいてユニキャスト信号と関連付けられた時間トラッキングループ（ＴＴＬ）及び周波数トラッキングループ（ＦＴＬ）を維持することと、
マルチキャスト／ブロードキャスト信号を受信することと、
前記受信されたユニキャスト信号のみに基づいて維持される前記ＴＴＬ及び前記ＦＴＬに基づいて前記受信されたマルチキャスト／ブロードキャスト信号を復号することと、備える、無線通信方法。
［Ｃ１９］
前記ＴＴＬ及び前記ＦＴＬを前記維持することは、
前記ユニキャスト信号を受信するためのダウンリンクタイミングを決定し、前記受信されたユニキャスト信号に関する前記ダウンリンクタイミングに関するタイミングオフセットを決定し、及び前記タイミングオフセットに基づいて前記ダウンリンクタイミングを調整することによって前記ＴＴＬを維持することと、
前記ユニキャスト信号を受信するための搬送波周波数を決定し、前記受信されたユニキャスト信号に関する前記搬送波周波数に関する周波数オフセットを決定し、及び前記周波数オフセットに基づいてサンプリング周波数を調整することによって前記ＦＴＬを維持することと、を備えるＣ１８に記載の方法。
［Ｃ２０］
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号のうちの少なくとも１つに基づいて決定されるＣ１９に記載の方法。
［Ｃ２１］
無線通信のための装置であって、
ユニキャスト信号と関連付けられた第１の組のトラッキングループを維持するための手段と、
マルチキャスト／ブロードキャスト信号と関連付けられた第２の組のトラッキングループを維持するための手段と、
前記第１の組のトラッキングループに基づく受信されたユニキャスト信号又は前記第２の組のトラッキングループに基づく受信されたマルチキャスト／ブロードキャスト信号のうちの少なくとも１つを復号するための手段と、を備える、無線通信のための装置。
［Ｃ２２］
前記第１の組のトラッキングループは、時間トラッキングループ（ＴＴＬ）と、周波数トラッキングループ（ＦＴＬ）と、を備え、前記装置は、
前記ユニキャスト信号を受信するためのダウンリンクタイミングを決定することによって前記ＴＴＬを維持するための手段と、前記受信されたユニキャスト信号に関する前記ダウンリンクタイミングに関するタイミングオフセットを決定するための手段と、前記タイミングオフセットに基づいて前記ダウンリンクタイミングを調整するための手段と、
前記ユニキャスト信号を受信するための搬送波周波数を決定することによって前記ＦＴＬを維持するための手段と、前記受信されたユニキャスト信号に関する前記搬送波周波数に関する周波数オフセットを決定するための手段と、前記周波数オフセットに基づいてサンプリング周波数を調整するための手段と、をさらに備えるＣ２１に記載の装置。
［Ｃ２３］
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づいて決定されるＣ２２に記載の装置。
［Ｃ２４］
前記第２の組のトラッキングループは、時間トラッキングループ（ＴＴＬ）と、周波数トラッキングループ（ＦＴＬ）と、を備え、前記装置は、
前記マルチキャスト／ブロードキャスト信号を受信するためのダウンリンクタイミングを決定することによって前記ＴＴＬを維持するための手段と、前記受信されたマルチキャスト／ブロードキャスト信号に関するダウンリンクタイミングに関するタイミングオフセットを決定するための手段と、前記タイミングオフセットに基づいて前記ダウンリンクタイミングを調整するための手段と、
前記マルチキャスト／ブロードキャスト信号を受信するための搬送波周波数を決定することによって前記ＦＴＬを維持するための手段と、前記受信されたマルチキャスト／ブロードキャスト信号に関する前記搬送波周波数に関する周波数オフセットを決定するための手段と、前記周波数オフセットに基づいてサンプリング周波数を調整するための手段と、さらに備えるＣ２１に記載の装置。
［Ｃ２５］
前記タイミングオフセット及び前記周波数オフセットは、前記受信されたマルチキャスト／ブロードキャスト信号内の単一周波数ネットワーク（ＭＢＳＦＮ）基準信号を通じてブロードキャストされるマルチメディアに基づいて決定されるＣ２４に記載の装置。
［Ｃ２６］
前記受信されたマルチキャスト／ブロードキャスト信号は、単一周波数ネットワーク（ＭＢＳＦＮ）エリアにわたってブロードキャストされる複数のマルチメディアから受信され、前記タイミングオフセットは、前記ＭＢＳＦＮエリアの各々からの前記受信されたマルチキャスト／ブロードキャスト信号の複合的なタイミングオフセットであり、前記周波数オフセットは、前記ＭＢＳＦＮエリアの各々からの前記受信されたマルチキャスト／ブロードキャスト信号の複合的な周波数オフセットであるＣ２４に記載の装置。
［Ｃ２７］
前記第１の組のトラッキングループは、前記ユニキャスト信号が受信される各搬送波に関する時間トラッキングループ（ＴＴＬ）と周波数トラッキングループ（ＦＴＬ）とを備えるＣ２１に記載の装置。
［Ｃ２８］
前記第２の組のトラッキングループは、前記マルチキャスト／ブロードキャスト信号が受信される各搬送波に関する時間トラッキングループ（ＴＴＬ）と周波数トラッキングループ（ＦＴＬ）とを備えるＣ２１に記載の装置。
［Ｃ２９］
前記受信されたマルチキャスト／ブロードキャスト信号は、単一周波数ネットワーク（ＭＢＳＦＮ）エリアにわたってブロードキャストされる複数のマルチメディアから受信され、前記第２の組のトラッキングループは、前記ＭＢＳＦＮエリアの各々に関する時間トラッキングループ（ＴＴＬ）と周波数トラッキングループ（ＦＴＬ）とを備えるＣ２１に記載の装置。
［Ｃ３０］
前記装置は、各ＭＢＳＦＮエリアからの前記マルチキャスト／ブロードキャスト信号内のＭＢＳＦＮ基準信号に基づいて前記ＭＢＳＦＮエリアに関する前記ＴＴＬ及び前記ＦＴＬを維持するための手段をさらに備えるＣ２９に記載の装置。
［Ｃ３１］
前記ユニキャスト信号は、ユニキャスト制御情報とユニキャストデータとを備え、前記第１の組のトラッキングループは、時間トラッキングループ（ＴＴＬ）と周波数トラッキングループ（ＦＴＬ）とを備え、前記装置は、前記ユニキャスト制御情報および前記ユニキャストデータの両方に関して前記ＴＴＬ及び前記ＦＴＬを維持するための手段をさらに備えるＣ２１に記載の装置。
［Ｃ３２］
前記ユニキャスト制御情報は、ＭＢＳＦＮサブフレーム及び非ＭＢＳＦＮサブフレームの両方において受信されるＣ３１に記載の装置。
［Ｃ３３］
前記ユニキャスト信号は、ユニキャスト制御情報とユニキャストデータとを備え、前記第１の組のトラッキングループは、第１の時間トラッキングループ（ＴＴＬ）と、第１の周波数トラッキングループ（ＦＴＬ）と、第２のＴＴＬと、第２のＦＴＬと、を備え、前記装置は、
前記ユニキャスト制御情報に関して前記第１のＴＴＬ及び前記第１のＦＴＬを維持するための手段と、
前記ユニキャストデータに関して前記第２のＴＴＬ及び前記第２のＦＴＬを維持するための手段と、をさらに備えるＣ２１に記載の装置。
［Ｃ３４］
前記第１のＴＴＬ及び前記第１のＦＴＬは、前記ユニキャスト制御情報内の各々のセルごとの基準信号（ＣＲＳ）又はチャネル状態情報基準信号（ＣＳＩ−ＲＳ）のうちの少なくとも１つに基づいて維持され、前記第２のＴＴＬ及び前記第２のＦＴＬは、前記ユニキャストデータ内の各々のユーザ装置ごとの基準信号（ＵＥ−ＲＳ）に基づいて維持されるＣ３３に記載の装置。
［Ｃ３５］
前記第１の組のトラッキングループは、一組のセルから受信された前記ユニキャスト信号に基づいて維持され、前記第１の組のトラッキングループは、
ダウンリンクタイミングに関する少なくとも１つのセルから受信されたユニキャスト信号のタイミングオフセットを追跡するための少なくとも１つの時間トラッキングループ（ＴＴＬ）と、
ユニキャスト信号が受信される搬送波周波数に関する少なくとも１つのセルから受信された前記ユニキャスト信号の周波数オフセットを追跡するための少なくとも１つの周波数トラッキングループ（ＦＴＬ）と、を備え、
前記少なくとも１つのセルが複数のセルを備えるときには、前記タイミングオフセットは、前記複数のセルのうちの各セルから受信された前記ユニキャスト信号の複合的なタイミングオフセットであり、前記周波数オフセットは、前記複数のセルのうちの各セルから受信された前記ユニキャスト信号の複合的な周波数オフセットであるＣ２１に記載の装置。
［Ｃ３６］
前記第２の組のトラッキングループは、少なくとも１つのセルから受信された前記マルチキャスト／ブロードキャスト信号に基づいて維持され、前記第２の組のトラッキングループは、
ダウンリンクタイミングに関する前記少なくとも１つのセルから受信されたマルチキャスト／ブロードキャスト信号のタイミングオフセットを追跡するための少なくとも１つの時間トラッキングループ（ＴＴＬ）と、
マルチキャスト／ブロードキャスト信号が受信される搬送波周波数に関する前記少なくとも１つのセルから受信された前記マルチキャスト／ブロードキャスト信号の周波数オフセットを追跡するための少なくとも１つの周波数トラッキングループ（ＦＴＬ）と、を備え、
前記少なくとも１つのセルが複数のセルを備えるときには、前記タイミングオフセットは、前記複数のセルのうちの各セルから受信された前記マルチキャスト／ブロードキャスト信号の複合的なタイミングオフセットであり、前記周波数オフセットは、前記複数のセルのうちの各セルから受信された前記マルチキャスト／ブロードキャスト信号の複合的な周波数オフセットであるＣ２１に記載の装置。
［Ｃ３７］
前記第１の組のトラッキングループは、第１の時間トラッキングループ（ＴＴＬ）と第１の周波数トラッキングループ（ＦＴＬ）とを備え、前記第２の組のトラッキングループは、第２のＴＴＬと第２のＦＴＬとを備え、前記装置は、
ユニキャスト信号を受信するための第１のダウンリンクタイミング及び第１の搬送波周波数及びマルチキャスト／ブロードキャスト信号を受信するための第２のダウンリンクタイミング及び第２の搬送波周波数を決定するための手段と、
前記ユニキャスト信号を受信するための前記第１のダウンリンクタイミングに関する第１のタイミングオフセット、前記ユニキャスト信号を受信するための前記第１の搬送波周波数に関する第１の周波数オフセット、前記マルチキャスト／ブロードキャスト信号を受信するための前記第２のダウンリンクタイミングに関する第２のタイミングオフセット、及び前記マルチキャスト／ブロードキャスト信号を受信するための前記第２の搬送波周波数に関する第２の周波数オフセットを決定するための手段と、
前記第１のタイミングオフセット及び前記第１の周波数オフセットに基づく前記受信されたユニキャスト信号および前記第２のタイミングオフセット及び前記第２の周波数オフセットに基づく前記受信されたマルチキャスト／ブロードキャスト信号のうちの少なくとも１つを復号するための手段と、
前記第１のＴＴＬ内の前記第１のダウンリンクタイミングを調整し、前記ＦＴＬ内の第１のサンプリング周波数を調整し、前記第２のＴＴＬ内の前記第２のダウンリンクタイミングを調整し、及び前記第２のＦＴＬ内の第２のサンプリング周波数を調整することによって前記第１のダウンリンクタイミング、前記第１のサンプリング周波数、前記第２のダウンリンクタイミング、及び前記第２のサンプリング周波数を調整するための手段と、をさらに備えるＣ２１に記載の装置。
［Ｃ３８］
無線通信のための装置であって、
受信されたユニキャスト信号のみに基づいてユニキャスト信号と関連付けられた時間トラッキングループ（ＴＴＬ）及び周波数トラッキングループ（ＦＴＬ）を維持するための手段と、
マルチキャスト／ブロードキャスト信号を受信するための手段と、
前記受信されたユニキャスト信号のみに基づいて維持される前記ＴＴＬ及び前記ＦＴＬに基づいて前記受信されたマルチキャスト／ブロードキャスト信号を復号するための手段と、備える、無線通信のための装置。
［Ｃ３９］
前記ＴＴＬ及び前記ＦＴＬを前記維持するための前記手段は、
前記ユニキャスト信号を受信するためのダウンリンクタイミングを決定し、前記受信されたユニキャスト信号に関する前記ダウンリンクタイミングに関するタイミングオフセットを決定し、及び前記タイミングオフセットに基づいて前記ダウンリンクタイミングを調整することによって前記ＴＴＬを維持し、及び
前記ユニキャスト信号を受信するための搬送波周波数を決定し、前記受信されたユニキャスト信号に関する前記搬送波周波数に関する周波数オフセットを決定し、及び前記周波数オフセットに基づいてサンプリング周波数を調整することによって前記ＦＴＬを維持するように構成されるＣ３８に記載の装置。
［Ｃ４０］
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号のうちの少なくとも１つに基づいて決定されるＣ３９に記載の装置。
［Ｃ４１］
無線通信のための装置であって、
ユニキャスト信号と関連付けられた第１の組のトラッキングループを維持し、
マルチキャスト／ブロードキャスト信号と関連付けられた第２の組のトラッキングループを維持し、及び
前記第１の組のトラッキングループに基づく受信されたユニキャスト信号又は前記第２の組のトラッキングループに基づく受信されたマルチキャスト／ブロードキャスト信号のうちの１つを復号するように構成された処理システム、を備える、無線通信のための装置。
［Ｃ４２］
前記第１の組のトラッキングループは、時間トラッキングループ（ＴＴＬ）と、周波数トラッキングループ（ＦＴＬ）と、を備え、前記処理システムは、
前記ユニキャスト信号を受信するためのダウンリンクタイミングを決定することによって前記ＴＴＬを維持し、前記受信されたユニキャスト信号に関するダウンリンクタイミングに関するタイミングオフセットを決定し、及び前記タイミングオフセットに基づいて前記ダウンリンクタイミングを調整し、及び
前記ユニキャスト信号を受信するための搬送波周波数を決定することによって前記ＦＴＬを維持し、前記受信されたユニキャスト信号に関する搬送波周波数に関する周波数オフセットを決定し、及び前記周波数オフセットに基づいてサンプリング周波数を調整するようにさらに構成されるＣ４１に記載の装置。
［Ｃ４３］
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づいて決定されるＣ４２に記載の装置。
［Ｃ４４］
前記第２の組のトラッキングループは、時間トラッキングループ（ＴＴＬ）と、周波数トラッキングループ（ＦＴＬ）と、を備え、前記処理システムは、
前記マルチキャスト／ブロードキャスト信号を受信するためのダウンリンクタイミングを決定することによって前記ＴＴＬを維持し、前記受信されたマルチキャスト／ブロードキャスト信号に関するダウンリンクタイミングに関するタイミングオフセットを決定し、及び前記タイミングオフセットに基づいて前記ダウンリンクタイミングを調整し、及び
前記マルチキャスト／ブロードキャスト信号を受信するための搬送波周波数を決定することによって前記ＦＴＬを維持し、前記受信されたマルチキャスト／ブロードキャスト信号に関する前記搬送波周波数に関する周波数オフセットを決定し、及び前記周波数オフセットに基づいてサンプリング周波数を調整するようにさらに構成されるＣ４１に記載の装置。
［Ｃ４５］
前記タイミングオフセット及び前記周波数オフセットは、前記受信されたマルチキャスト／ブロードキャスト信号内の単一周波数ネットワーク（ＭＢＳＦＮ）基準信号を通じてブロードキャストされるマルチメディアに基づいて決定されるＣ４４に記載の装置。
［Ｃ４６］
前記受信されたマルチキャスト／ブロードキャスト信号は、単一周波数ネットワーク（ＭＢＳＦＮ）エリアにわたってブロードキャストされる複数のマルチメディアから受信され、前記タイミングオフセットは、前記ＭＢＳＦＮエリアの各々からの前記受信されたマルチキャスト／ブロードキャスト信号の複合的なタイミングオフセットであり、前記周波数オフセットは、前記ＭＢＳＦＮエリアの各々からの前記受信されたマルチキャスト／ブロードキャスト信号の複合的な周波数オフセットであるＣ４４に記載の装置。
［Ｃ４７］
前記第１の組のトラッキングループは、前記ユニキャスト信号が受信される各搬送波に関する時間トラッキングループ（ＴＴＬ）と周波数トラッキングループ（ＦＴＬ）とを備えるＣ４１に記載の装置。
［Ｃ４８］
前記第２の組のトラッキングループは、前記マルチキャスト／ブロードキャスト信号が受信される各搬送波に関する時間トラッキングループ（ＴＴＬ）と周波数トラッキングループ（ＦＴＬ）とを備えるＣ４１に記載の装置。
［Ｃ４９］
前記受信されたマルチキャスト／ブロードキャスト信号は、単一周波数ネットワーク（ＭＢＳＦＮ）エリアにわたってブロードキャストされる複数のマルチメディアから受信され、前記第２の組のトラッキングループは、前記時間ＭＢＳＦＮエリアの各々に関する時間トラッキングループ（ＴＴＬ）と周波数トラッキングループ（ＦＴＬ）とを備えるＣ４１に記載の装置。
［Ｃ５０］
前記処理システムは、各ＭＢＳＦＮエリアからの前記マルチキャスト／ブロードキャスト信号内のＭＢＳＦＮ基準信号に基づいて前記ＭＢＳＦＮエリアに関する前記ＴＴＬ及び前記ＦＴＬを維持するようにさらに構成されるＣ４９に記載の装置。
［Ｃ５１］
前記ユニキャスト信号は、ユニキャスト制御情報とユニキャストデータとを備え、前記第１の組のトラッキングループは、時間トラッキングループ（ＴＴＬ）と周波数トラッキングループ（ＦＴＬ）とを備え、前記処理システムは、前記ユニキャスト制御情報および前記ユニキャストデータの両方に関して前記ＴＴＬ及び前記ＦＴＬを維持するようにさらに構成されるＣ４１に記載の装置。
［Ｃ５２］
前記ユニキャスト制御情報は、ＭＢＳＦＮサブフレーム及び非ＭＢＳＦＮサブフレームの両方において受信されるＣ５１に記載の装置。
［Ｃ５３］
前記ユニキャスト信号は、ユニキャスト制御情報とユニキャストデータとを備え、前記第１の組のトラッキングループは、第１の時間トラッキングループ（ＴＴＬ）と、第１の周波数トラッキングループ（ＦＴＬ）と、第２のＴＴＬと、第２のＦＴＬと、を備え、前記処理システムは、
前記ユニキャスト制御情報に関して前記第１のＴＴＬ及び前記第１のＦＴＬを維持し、及び
前記ユニキャストデータに関して前記第２のＴＴＬ及び前記第２のＦＴＬを維持するようにさらに構成されるＣ４１に記載の装置。
［Ｃ５４］
前記第１のＴＴＬ及び前記第１のＦＴＬは、前記ユニキャスト制御情報内の各々のセルごとの基準信号（ＣＲＳ）又はチャネル状態情報基準信号（ＣＳＩ−ＲＳ）のうちの少なくとも１つに基づいて維持され、前記第２のＴＴＬ及び前記第２のＦＴＬは、前記ユニキャストデータ内の各々のユーザ装置ごとの基準信号（ＵＥ−ＲＳ）に基づいて維持されるＣ５３に記載の装置。
［Ｃ５５］
前記第１の組のトラッキングループは、一組のセルから受信された前記ユニキャスト信号に基づいて維持され、前記第１の組のトラッキングループは、
ダウンリンクタイミングに関する少なくとも１つのセルから受信されたユニキャスト信号のタイミングオフセットを追跡するための少なくとも１つの時間トラッキングループ（ＴＴＬ）と、
ユニキャスト信号が受信される搬送波周波数に関する少なくとも１つのセルから受信された前記ユニキャスト信号の周波数オフセットを追跡するための少なくとも１つの周波数トラッキングループ（ＦＴＬ）と、を備え、
前記少なくとも１つのセルが複数のセルを備えるときには、前記タイミングオフセットは、前記複数のセルのうちの各セルから受信された前記ユニキャスト信号の複合的なタイミングオフセットであり、前記周波数オフセットは、前記複数のセルのうちの各セルから受信された前記ユニキャスト信号の複合的な周波数オフセットであるＣ４１に記載の装置。
［Ｃ５６］
前記第２の組のトラッキングループは、少なくとも１つのセルから受信された前記マルチキャスト／ブロードキャスト信号に基づいて維持され、前記第２の組のトラッキングループは、
ダウンリンクタイミングに関する前記少なくとも１つのセルから受信されたマルチキャスト／ブロードキャスト信号のタイミングオフセットを追跡するための少なくとも１つの時間トラッキングループ（ＴＴＬ）と、
マルチキャスト／ブロードキャスト信号が受信される搬送波周波数に関する前記少なくとも１つのセルから受信された前記マルチキャスト／ブロードキャスト信号の周波数オフセットを追跡するための少なくとも１つの周波数トラッキングループ（ＦＴＬ）と、を備え、
前記少なくとも１つのセルが複数のセルを備えるときには、前記タイミングオフセットは、前記複数のセルのうちの各セルから受信された前記マルチキャスト／ブロードキャスト信号の複合的なタイミングオフセットであり、前記周波数オフセットは、前記複数のセルのうちの各セルから受信された前記マルチキャスト／ブロードキャスト信号の複合的な周波数オフセットであるＣ４１に記載の装置。
［Ｃ５７］
前記第１の組のトラッキングループは、第１の時間トラッキングループ（ＴＴＬ）と第１の周波数トラッキングループ（ＦＴＬ）とを備え、前記第２の組のトラッキングループは、第２のＴＴＬと第２のＦＴＬとを備え、前記処理システムは、
ユニキャスト信号を受信するための第１のダウンリンクタイミング及び第１の搬送波周波数及びマルチキャスト／ブロードキャスト信号を受信するための第２のダウンリンクタイミング及び第２の搬送波周波数を決定し、
前記ユニキャスト信号を受信するための前記第１のダウンリンクタイミングに関する第１のタイミングオフセット、前記ユニキャスト信号を受信するための前記第１の搬送波周波数に関する第１の周波数オフセット、前記マルチキャスト／ブロードキャスト信号を受信するための前記第２のダウンリンクタイミングに関する第２のタイミングオフセット、及び前記マルチキャスト／ブロードキャスト信号を受信するための前記第２の搬送波周波数に関する第２の周波数オフセットを決定し、
前記第１のタイミングオフセット及び前記第１の周波数オフセットに基づく前記受信されたユニキャスト信号および前記第２のタイミングオフセット及び前記第２の周波数オフセットに基づく前記受信されたマルチキャスト／ブロードキャスト信号のうちの少なくとも１つを復号し、及び
前記第１のＴＴＬ内の前記第１のダウンリンクタイミングを調整し、前記ＦＴＬ内の第１のサンプリング周波数を調整し、前記第２のＴＴＬ内の前記第２のダウンリンクタイミングを調整し、及び前記第２のＦＴＬ内の第２のサンプリング周波数を調整することによって前記第１のダウンリンクタイミング、前記第１のサンプリング周波数、前記第２のダウンリンクタイミング、及び前記第２のサンプリング周波数を調整するようにさらに構成されるＣ４１に記載の装置。
［Ｃ５８］
無線通信のための装置であって、
受信されたユニキャスト信号のみに基づいてユニキャスト信号と関連付けられた時間トラッキングループ（ＴＴＬ）及び周波数トラッキングループ（ＦＴＬ）を維持し、
マルチキャスト／ブロードキャスト信号を受信し、及び
前記受信されたユニキャスト信号のみに基づいて維持される前記ＴＴＬ及び前記ＦＴＬに基づいて前記受信されたマルチキャスト／ブロードキャスト信号を復号するように構成された処理システム、を備える、無線通信のための装置。
［Ｃ５９］
前記ＴＴＬ及び前記ＦＴＬを維持するために、前記処理システムは、
前記ユニキャスト信号を受信するためのダウンリンクタイミングを決定し、前記受信されたユニキャスト信号に関する前記ダウンリンクタイミングに関するタイミングオフセットを決定し、及び前記タイミングオフセットに基づいて前記ダウンリンクタイミングを調整することによって前記ＴＴＬを維持し、及び
前記ユニキャスト信号を受信するための搬送波周波数を決定し、前記受信されたユニキャスト信号に関する前記搬送波周波数に関する周波数オフセットを決定し、及び前記周波数オフセットに基づいてサンプリング周波数を調整することによって前記ＦＴＬを維持するように構成されるＣ５８に記載の装置。
［Ｃ６０］
前記タイミングオフセット及び前記周波数オフセットは、前記受信されたユニキャスト信号内の各々のセルごとの基準信号（ＣＲＳ）、チャネル状態情報基準信号（ＣＳＩ−ＲＳ）、又は各々のユーザ装置ごとの基準信号（ＵＥ−ＲＳ）のうちの少なくとも１つに基づいて決定されるＣ５９に記載の装置。
［Ｃ６１］
コンピュータプログラム製品であって、
ユニキャスト信号と関連付けられた第１の組のトラッキングループを維持し、
マルチキャスト／ブロードキャスト信号と関連付けられた第２の組のトラッキングループを維持し、及び
前記第１の組のトラッキングループに基づく受信されたユニキャスト信号又は前記第２の組のトラッキングループに基づく受信されたマルチキャスト／ブロードキャスト信号のうちの少なくとも１つを復号するためのコードを備えるコンピュータによって読み取り可能な媒体、を備える、コンピュータプログラム製品。
［Ｃ６２］
コンピュータプログラム製品であって、
受信されたユニキャスト信号のみに基づいてユニキャスト信号と関連付けられた時間トラッキングループ（ＴＴＬ）及び周波数トラッキングループ（ＦＴＬ）を維持し、
マルチキャスト／ブロードキャスト信号を受信し、及び
前記受信されたユニキャスト信号のみに基づいて維持される前記ＴＴＬ及び前記ＦＴＬに基づいて前記受信されたマルチキャスト／ブロードキャスト信号を復号するためのコードを備えるコンピュータによって読み取り可能な媒体、備える、コンピュータプログラム製品。
【図１】
0006017551.tif 000003
【図２】
0006017551.tif 000004
【図３】
0006017551.tif 000005
【図４】
0006017551.tif 000006
【図５】
0006017551.tif 000007
【図６】
0006017551.tif 000008
【図７】
0006017551.tif 000009
【図８】
0006017551.tif 000010
【図９】
0006017551.tif 000011
【図１０】
0006017551.tif 000012
【図１１】
0006017551.tif 000013
【図１２】
0006017551.tif 000014
【図１３】
0006017551.tif 000015
【図１４】
0006017551.tif 000016
【図１５】
0006017551.tif 000017
【図１６】
0006017551.tif 000018
【図１７】
0006017551.tif 000019